(57)【要約】ある実施形態によれば、無線デバイスは、命令を格納するように動作可能なメモリと、命令を実行するように動作可能な処理回路とを備え、それによって、無線デバイスは、基地局から受信された第１の情報に基づいて複数の時間領域リソース割り当てテーブルのうちの１つを決定するように動作可能である。無線デバイスは、複数の時間領域リソース割り当てテーブルのうちの決定された１つと、基地局から受信された第２の情報とに基づいて、無線信号の送信または受信のために無線デバイスに割り当てられた時間領域リソースを決定するようにさらに動作可能である。第２の情報は、第１の情報とは異なる。【選択図】図３
2021503734.tif 000002
【特許請求の範囲】
【請求項１】
命令を格納するように動作可能なメモリ（１３０、２１５）と、前記命令を実行するように動作可能な処理回路（１２０、２０１、５３８）とを備える無線デバイス（１１０、２００、４９１、４９２、５３０、５０）であって、前記無線デバイスは、
複数の時間領域リソース割り当てテーブルのうちの１つを、ネットワークノードから受信された第１の情報に基づいて決定することと、
前記複数の時間領域リソース割り当てテーブルのうちの前記決定された１つと、前記第１の情報とは異なる前記ネットワークノードから受信された第２の情報とに基づいて、無線信号の送信または受信のために前記無線デバイスに割り当てられた時間領域リソースを決定することを含む、無線デバイス。
【請求項２】
請求項１に記載の無線デバイスであって、前記第２の情報は、ダウンリンク制御情報（ＤＣＩ）で受信された時間領域リソース割り当てフィールドを含む、無線デバイス。
【請求項３】
請求項１または２に記載の無線デバイスであって、前記第１の情報に基づいて決定された前記複数の時間領域リソース割り当てテーブルのうちの前記１つは、複数のエントリを含み、前記第２の情報は、前記複数のエントリのうちのどれを使用して、前記無線デバイスに割り当てられた前記時間領域リソースを決定するかを示す、無線デバイス。
【請求項４】
請求項１から３のいずれか１項に記載の無線デバイスであって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、無線デバイス。
【請求項５】
請求項１から４のいずれか１項に記載の無線デバイスであって、前記複数の時間領域リソース割り当てテーブルは、物理アップリンク共有チャネル（ＰＵＳＣＨ）、または物理ダウンリンク共有チャネル（ＰＤＳＣＨ）のための時間領域リソース割り当てに関連する、無線デバイス。
【請求項６】
請求項１から５のいずれか１項に記載の無線デバイスであって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、無線デバイス。
【請求項７】
請求項１から６のいずれか１項に記載の無線デバイスであって、前記第１の情報は、無線ネットワーク一時識別子（ＲＮＴＩ）を含む、無線デバイス。
【請求項８】
請求項１から７のいずれか１項に記載の無線デバイスであって、前記第１の情報は、前記無線信号をスケジュールするために使用される制御チャネルに関連するサーチ空間を示す情報を含む、無線デバイス。
【請求項９】
請求項１から８のいずれか１項に記載の無線デバイスであって、前記第１の情報は、前記無線信号をスケジュールするために使用される制御チャネルリソースセット（ＣＯＲＥＳＥＴ）に関連する情報を含む、無線デバイス。 
【請求項１０】
請求項１から９のいずれか１項に記載の無線デバイスであって、前記第１の情報は、帯域幅部分に関連する情報を含む、無線デバイス。
【請求項１１】
請求項１から１０のいずれか１項に記載の無線デバイスであって、前記第１の情報は、スロットフォーマットを示す情報を含む、無線デバイス。 
【請求項１２】
請求項１から１１のいずれか１項に記載の無線デバイスであって、前記第１の情報は、サイクリックプレフィックス、直交周波数分割多重（ＯＦＤＭ）サブキャリア間隔、またはヌメロロジーを示す他の情報を含む、無線デバイス。
【請求項１３】
請求項１から１２のいずれか１項に記載の無線デバイスであって、
前記決定された時間領域リソースを使用して無線信号を送信または受信するように動作可能な、無線デバイス。
【請求項１４】
命令を記憶するように動作可能なメモリ（１８０）と、命令を実行するように動作可能な処理回路（１７０）とを備えるネットワークノード（１６０、４１２、５２０、５０）であって、前記ネットワークノードは、
無線信号の送信または受信のために無線デバイスに割り当てるための時間領域リソースを決定し、
前記無線デバイスが複数の時間領域リソース割り当てテーブルのうちの１つを決定するための第１の情報と、前記無線デバイスが複数の前記時間領域リソース割り当てテーブルのうちの前記決定された１つに基づいて前記時間領域リソースを決定するための第２の情報とを無線デバイスに送信するように動作可能であり、前記第２の情報は、前記第１の情報とは異なる、ネットワークノード。
【請求項１５】
請求項１４に記載のネットワークノードであって、前記第２の情報は、ダウンリンク制御情報（ＤＣＩ）で送信される時間領域リソース割り当てフィールドを含む、ネットワークノード。
【請求項１６】
請求項１４または１５に記載のネットワークノードであって、前記複数の時間領域リソース割り当てテーブルのうちの前記１つは、複数のエントリを含み、前記第２の情報は、前記無線デバイスが前記時間領域リソースを決定するために、前記複数のエントリのうちのどれを使用すべきかを示す、ネットワークノード。
【請求項１７】
請求項１４から１６のいずれか１項に記載のネットワークノードであって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、ネットワークノード。
【請求項１８】
請求項１４から１７のいずれか１項に記載のネットワークノードであって、前記複数の時間領域リソース割り当てテーブルは、物理アップリンク共有チャネル（ＰＵＳＣＨ）または物理ダウンリンク共有チャネル（ＰＤＳＣＨ）のための時間領域リソース割り当てに関連する、ネットワークノード。
【請求項１９】
請求項１４から１８のいずれか１項に記載のネットワークノードであって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、ネットワークノード。
【請求項２０】
請求項１４から１９のいずれか１項に記載のネットワークノードであって、前記第１の情報は、無線ネットワーク一時識別子（ＲＮＴＩ）を含む、ネットワークノード。 
【請求項２１】
請求項１４から２０のいずれか１項に記載のネットワークノードであって、前記第１の情報は、前記無線信号をスケジュールするために使用される制御チャネルに関連するサーチ空間を示す情報を含む、ネットワークノード。
【請求項２２】
請求項１４から２１のいずれか１項に記載のネットワークノードであって、前記第１の情報は、前記無線信号をスケジュールするために使用される制御チャネルリソースセット（ＣＯＲＥＳＥＴ）に関連する情報を含む、ネットワークノード。
【請求項２３】
請求項１４から２２のいずれか１項に記載のネットワークノードであって、前記第１の情報は、帯域幅部分に関連する情報を含む、ネットワークノード。 
【請求項２４】
請求項１４から２３のいずれか１項に記載のネットワークノードであって、前記第１の情報はスロットフォーマットを示す情報を含む、ネットワークノード。 
【請求項２５】
請求項１４から２４のいずれか１項に記載のネットワークノードであって、前記第１の情報は、サイクリックプレフィックス、直交周波数分割多重（ＯＦＤＭ）サブキャリア間隔、またはヌメロロジーを示す他の情報を含む、ネットワークノード。
【請求項２６】
請求項１４から２５のいずれか１項に記載のネットワークノードであって、
前記割り当てられた時間領域リソースを使用して無線信号を送信または受信するようにさらに動作可能である、ネットワークノード。 
【請求項２７】
無線デバイスによって実行される方法であって、前記方法は、
複数の時間領域リソース割り当てテーブルのうちの１つを、ネットワークノードから受信された第１の情報に基づいて決定すること（３０）と、
複数の時間領域リソース割り当てテーブルのうちの前記決定された１つと、第１の情報とは異なる前記ネットワークノードから受信された第２の情報とに基づいて、無線信号の送信または受信のために前記無線デバイスに割り当てられた時間領域リソースを決定すること（３２）を含む、方法。
【請求項２８】
請求項２７に記載の方法であって、前記第２の情報は、ダウンリンク制御情報（ＤＣＩ）で受信された時間領域リソース割り当てフィールドを含む、方法。
【請求項２９】
請求項２７または２８に記載の方法であって、前記第１の情報に基づいて決定された前記複数の時間領域リソース割り当てテーブルのうちの前記１つは、複数のエントリを含み、前記第２の情報は、前記無線デバイスに割り当てられた前記時間領域リソースを決定するために前記複数のエントリのうちのどれを使用すべきかを示す、方法。
【請求項３０】
請求項２７から２９のいずれか１項に記載の方法であって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、方法。
【請求項３１】
請求項２７から３０のいずれか１項に記載の方法であって、前記複数の時間領域リソース割り当てテーブルは、物理アップリンク共有チャネル（ＰＵＳＣＨ）、または物理ダウンリンク共有チャネル（ＰＤＳＣＨ）のための時間領域リソース割り当てに関連する、方法。
【請求項３２】
請求項２７から３１のいずれか１項に記載の方法であって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、方法。
【請求項３３】
請求項２７から３２のいずれか１項に記載の方法であって、前記第１の情報は、無線ネットワーク一時識別子（ＲＮＴＩ）を含む、方法。
【請求項３４】
請求項２７から３３のいずれか１項に記載の方法であって、前記第１の情報は、前記無線信号をスケジュールするために使用される制御チャネルに関連するサーチ空間を示す情報を含む、方法。
【請求項３５】
請求項２７から３４のいずれか１項に記載の方法であって、前記第１の情報は、前記無線信号をスケジュールするために使用される制御チャネルリソースセット（ＣＯＲＥＳＥＴ）に関連する情報を含む、方法。 
【請求項３６】
請求項２７から３５のいずれか１項に記載の方法であって、前記第１の情報は、帯域幅部分に関連する情報を含む、方法。 
【請求項３７】
請求項２７から３６のいずれか１項に記載の方法であって、前記第１の情報は、スロットフォーマットを示す情報を含む、方法。 
【請求項３８】
請求項２７から３７のいずれか１項に記載の方法であって、前記第１の情報は、サイクリックプレフィックス、直交周波数分割多重（ＯＦＤＭ）サブキャリア間隔、またはヌメロロジーを示す他の情報を含む、方法。  
【請求項３９】
請求項２７から３８のいずれか１項に記載の方法であって、
前記決定された時間領域リソースを使用して無線信号を送信または受信する（３４）ことをさらに含む、方法。 
【請求項４０】
ネットワークノードによって実行される方法であって、前記方法は、 
無線信号の送信または受信のために無線デバイスに割り当てるための時間領域リソースを決定すること（４０）と、
前記無線デバイスが複数の時間領域リソース割り当てテーブルのうちの１つを決定するための第１の情報と、前記無線デバイスが複数の時間領域リソース割り当てテーブルのうちの決定された前記１つに基づいて時間領域リソースを決定するための第２の情報とを前記無線デバイスに送信すること（４２）を含み、前記第２の情報は、前記第１の情報とは異なる、方法。  
【請求項４１】
請求項４０に記載の方法であって、前記第２の情報は、ダウンリンク制御情報（ＤＣＩ）で送信される時間領域リソース割り当てフィールドを含む、方法。
【請求項４２】
請求項４０または４１に記載の方法であって、前記複数の時間領域リソース割り当てテーブルのうちの前記１つは、複数のエントリを含み、前記第２の情報は、前記無線デバイスが前記時間領域リソースを決定するために、前記複数のエントリのうちのどれを使用すべきかを示す、方法。  
【請求項４３】
請求項４０から４２のいずれか１項に記載の方法であって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、方法。
【請求項４４】
請求項４０から４３のいずれか１項に記載の方法であって、前記複数の時間領域リソース割り当てテーブルは、物理アップリンク共有チャネル（ＰＵＳＣＨ）、または物理ダウンリンク共有チャネル（ＰＤＳＣＨ）のための時間領域リソース割り当てに関連する、方法。
【請求項４５】
請求項４０から４４のいずれか１項に記載の方法であって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、方法。
【請求項４６】
請求項４０から４５のいずれか１項に記載の方法であって、前記第１の情報は、無線ネットワーク一時識別子（ＲＮＴＩ）を含む、方法。
【請求項４７】
請求項４０から４６のいずれか１項に記載の方法であって、前記第１の情報は、前記無線信号をスケジュールするために使用される制御チャネルに関連するサーチ空間を示す情報を含む、方法。
【請求項４８】
請求項４０から４７のいずれか１項に記載の方法であって、前記第１の情報は、前記無線信号をスケジュールするために使用される制御チャネルリソースセット（ＣＯＲＥＳＥＴ）に関連する情報を含む、方法。
【請求項４９】
請求項４０から４８のいずれか１項に記載の方法であって、前記第１の情報は、帯域幅部分に関連する情報を含む、方法。
【請求項５０】
請求項４０から４９のいずれか１項に記載の方法であって、前記第１の情報は、スロットフォーマットを示す情報を含む、方法。
【請求項５１】
請求項４０から５０のいずれか１項に記載の方法であって、前記第１の情報は、サイクリックプレフィックス、直交周波数分割多重（ＯＦＤＭ）サブキャリア間隔、またはヌメロロジーを示す他の情報を含む、方法。 
【請求項５２】
請求項４０から５１のいずれか１項に記載の方法であって、
割り当てられた時間領域リソースを使用して前記無線信号を送信または受信すること（４４）をさらに含む、方法。
【請求項５３】
無線デバイスの少なくとも１つのプロセッサによって実行されると、前記無線デバイスに請求項２７から３９のいずれか１項に記載の方法を実行させる命令を備えるコンピュータプログラム。
【請求項５４】
請求項５３に記載のコンピュータプログラムを含むキャリアであって、前記キャリアは、電子信号、光信号、無線信号、またはコンピュータ可読記憶媒体のうちの１つである、キャリア。
【請求項５５】
無線デバイスの少なくとも１つのプロセッサによって実行されると、無線デバイスに請求項４０から５２のいずれか１項に記載の方法を実行させる命令を備えるコンピュータプログラム。 
【請求項５６】
請求項５５に記載のコンピュータプログラムを含むキャリアであって、前記キャリアは、電子信号、光信号、無線信号、またはコンピュータ可読記憶媒体のうちの１つである、キャリア。
【請求項５７】
無線デバイス（１１０、２００、４９１、４９２、５３０、５０）であって、
複数の時間領域リソース割り当てテーブルのうちの１つを、ネットワークノードから受信された第１の情報に基づいて決定し、
前記複数の時間領域リソース割り当てテーブルのうちの前記決定された１つと、前記第１の情報とは異なる前記ネットワークノードから受信された第２の情報とに基づいて、無線信号の送信または受信のために前記無線デバイスに割り当てられた時間領域リソースを決定するように動作可能な、無線デバイス。
【請求項５８】
請求項５７に記載の無線デバイスであって、前記第２の情報は、ダウンリンク制御情報（ＤＣＩ）で受信された時間領域リソース割り当てフィールドを含む、無線デバイス。
【請求項５９】
請求項５７または５８に記載の無線デバイスであって、前記第１の情報に基づいて決定された前記複数の時間領域リソース割り当てテーブルのうちの前記１つは、複数のエントリを含み、前記第２の情報は、前記複数のエントリのうちのどれを使用して、前記無線デバイスに割り当てられた前記時間領域リソースを決定するかを示す、無線デバイス。
【請求項６０】
請求項５７から５９のいずれか１項に記載の無線デバイスであって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、無線デバイス。
【請求項６１】
請求項５７から６０のいずれか１項に記載の無線デバイスであって、前記複数の時間領域リソース割り当てテーブルは、物理アップリンク共有チャネル（ＰＵＳＣＨ）、または物理ダウンリンク共有チャネル（ＰＤＳＣＨ）のための時間領域リソース割り当てに関連する、無線デバイス。
【請求項６２】
請求項５７から６１のいずれか１項に記載の無線デバイスであって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、無線デバイス。
【請求項６３】
請求項５７から６２のいずれか１項に記載の無線デバイスであって、前記第１の情報は、無線ネットワーク一時識別子（ＲＮＴＩ）を含む、無線デバイス。
【請求項６４】
請求項５７から６３のいずれか１項に記載の無線デバイスであって、前記第１の情報は、前記無線信号をスケジュールするために使用される制御チャネルに関連するサーチ空間を示す情報を含む、無線デバイス。 
【請求項６５】
請求項５７から６４のいずれか１項に記載の無線デバイスであって、前記第１の情報は、前記無線信号をスケジュールするために使用される制御チャネルリソースセット（ＣＯＲＥＳＥＴ）に関連する情報を含む、無線デバイス。
【請求項６６】
請求項５７から６５のいずれか１項に記載の無線デバイスであって、前記第１の情報は、帯域幅部分に関連する情報を含む、無線デバイス。
【請求項６７】
請求項５７から６６のいずれか１項に記載の無線デバイスであって、前記第１の情報は、スロットフォーマットを示す情報を含む、無線デバイス。
【請求項６８】
請求項５７から６７のいずれか１項に記載の無線デバイスであって、前記第１の情報は、サイクリックプレフィックス、直交周波数分割多重（ＯＦＤＭ）サブキャリア間隔、またはヌメロロジーを示す他の情報を含む、無線デバイス。
【請求項６９】
請求項５７から６８のいずれか１項に記載の無線デバイスであって、
前記決定された時間領域リソースを使用して前記無線信号を送信または受信するように動作可能である、無線デバイス。
【請求項７０】
ネットワークノード（１６０、４１２、５２０、５０）であって、
無線信号の送信または受信のために無線デバイスに割り当てるための時間領域リソースを決定し、
前記無線デバイスが複数の時間領域リソース割り当てテーブルのうちの１つを決定するための第１の情報と、前記無線デバイスが前記複数の時間領域リソース割り当てテーブルのうちの前記決定された１つに基づいて時間領域リソースを決定するための第２の情報とを無線デバイスに送信するように動作可能であり、前記第２の情報は、前記第１の情報とは異なる、ネットワークノード。
【請求項７１】
請求項７０に記載のネットワークノードであって、前記第２の情報は、ダウンリンク制御情報（ＤＣＩ）で送信される時間領域リソース割り当てフィールドを含む、ネットワークノード。
【請求項７２】
請求項７０または７１に記載のネットワークノードであって、前記複数の時間領域リソース割り当てテーブルのうちの１つは、複数のエントリを含み、前記第２の情報は、前記無線デバイスが前記時間領域リソースを決定するために、前記複数のエントリのうちのどれを使用すべきかを示す、ネットワークノード。
【請求項７３】
請求項７０から７２のいずれか１項に記載のネットワークノードであって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、ネットワークノード。
【請求項７４】
請求項７０から７３のいずれか１項に記載のネットワークノードであって、前記複数の時間領域リソース割り当てテーブルは、物理アップリンク共有チャネル（ＰＵＳＣＨ）または物理ダウンリンク共有チャネル（ＰＤＳＣＨ）のための時間領域リソース割り当てに関連する、ネットワークノード。
【請求項７５】
請求項７０から７４のいずれか１項に記載のネットワークノードであって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、ネットワークノード。
【請求項７６】
請求項７０から７５のいずれか１項に記載のネットワークノードであって、前記第１の情報は無線ネットワーク一時識別子（ＲＮＴＩ）を含む、ネットワークノード。
【請求項７７】
請求項７０から７６のいずれか１項に記載のネットワークノードであって、前記第１の情報は、前記無線信号をスケジュールするために使用される制御チャネルに関連するサーチ空間を示す情報を含む、ネットワークノード。
【請求項７８】
請求項７０から７７のいずれか１項に記載のネットワークノードであって、前記第１の情報は、前記無線信号をスケジュールするために使用される制御チャネルリソースセット（ＣＯＲＥＳＥＴ）に関連する情報を含む、ネットワークノード。
【請求項７９】
請求項７０から７８のいずれか１項に記載のネットワークノードであって、前記第１の情報は、帯域幅部分に関連する情報を含む、ネットワークノード。
【請求項８０】
請求項７０から７９のいずれか１項に記載のネットワークノードであって、前記第１の情報は、スロットフォーマットを示す情報を含む、ネットワークノード。
【請求項８１】
請求項７０から８０のいずれか１項に記載のネットワークノードであって、前記第１の情報は、サイクリックプレフィックス、直交周波数分割多重（ＯＦＤＭ）サブキャリア間隔、またはヌメロロジーを示す他の情報を含む、ネットワークノード。
【請求項８２】
請求項７０から８１のいずれか１項に記載のネットワークノードであって、
前記割り当てられた時間領域リソースを使用して無線信号を送信または受信するように動作可能である、ネットワークノード。
【発明の詳細な説明】
【技術分野】
【０００１】
本開示の特定の実施形態は一般に、無線通信に関し、より具体的には、時間領域リソース割り当てテーブルの選択に関する。 
【背景技術】
【０００２】
Ｎｅｗ  Ｒａｄｉｏ（ＮＲ）は、ダウンリンク制御情報（ＤＣＩ）内のビットフィールドをサポートして、テーブル（表）において事前構成されたエントリから、物理アップリンク共有チャネル（ＰＵＳＣＨ）および物理ダウンリンク共有チャネル（ＰＤＳＣＨ）のための時間領域リソース割り当てを選択する。テーブルの各エントリは、開始直交周波数分割多重方式（ＯＦＤＭ）シンボルと、割り当てのＯＦＤＭシンボルでの長さを指定する。開始ＯＦＤＭシンボルは、スケジューリング物理ダウンリンク制御チャネル（ＰＤＣＣＨ）／制御チャネルリソースセット（ＣＯＲＥＳＥＴ）シンボルに対して、またはスロットまたはサブフレーム内の絶対ＯＦＤＭシンボル番号で表すことができることに留意されたい。
【発明の概要】
【０００３】
現在、ある種の課題が存在する。ＮＲは非常に柔軟であるが、例えば、ＮＲはシステム情報を配布する異なる方法をサポートし、スロットベース送信と非スロットベース送信をサポートするという点で、単一の時間領域リソース割り当てテーブルを使用することは非常に制限的であり、多くの場合、スケジューリングを制限することができる。考えられる解決策の１つは、リソース割り当てテーブルサイズを増やし、それによって、より多くの時間領域リソース割り当てを可能にすることである。しかしながら、この解決策の欠点は、より多くのビットが適切なリソース割り当てを選択するために必要とされるので、ダウンリンク制御情報（ＤＣＩ）サイズが増大することである。
【０００４】
本開示およびそれらの実施形態のある態様は、これらの課題または他の課題に対する解決策を提供することができる。いくつかの実施形態によれば、無線デバイス（たとえば、ユーザ装置（ＵＥ））は、複数の時間領域リソース割り当てテーブルを用いて構成される。どのテーブルを使用するかは、ネットワークノード（ｇＮＢなど）と無線デバイスの両方で利用可能な他の情報から暗黙的に導出される。この他の情報の例は、無線ネットワーク一時識別子（ＲＮＴＩ）、ＤＣＩに含まれる情報、どのＤＣＩフォーマットがスケジューリングのために使用されたか、送信がスロットベースまたは非スロットベースか、どのＣＯＲＳＥＴ／サーチ（探索）空間がスケジューリングのために使用されたか、キャリアアグリゲーション関連情報、帯域幅部分関連情報、スロットフォーマット、および／またはヌメロロジー（例えば、サイクリックプレフィックス、ＯＦＤＭサブキャリア間隔など）を示す情報であってもよい。特定の実施形態によれば、時間領域リソース割り当てがシステム情報（例えば、残りの最小システム情報（ＲＭＳＩ））のスケジューリングにおいて使用される場合、システム情報が配信される方法（非スロットベースの送信対スロットベースの送信）は、どのテーブルを使用するかを決定する。特定の実施形態によれば、複数の時間領域リソース割り当てテーブルで構成された無線デバイスは、無線デバイスで利用可能な情報から、どのテーブルを使用するかを導出し、時間領域リソース割り当てフィールドと呼ばれることがあるＤＣＩ内の明示的なビットフィールドに基づいて、そのテーブルからエントリを選択する。
【０００５】
特定の実施形態によれば、無線デバイスは、メモリおよび処理回路を備える。メモリは命令を格納するように動作可能であり、処理回路は命令を実行するように動作可能であり、それによって、無線デバイスは、ネットワークノードから受信された第１の情報に基づいて、複数の時間領域リソース割り当てテーブルのうちの１つを決定するように動作可能である。複数の時間領域リソース割り当てテーブルのうちの決定された１つと、ネットワークノードから受信された第２の情報とに基づいて、無線デバイスは、無線信号の送信または受信のために無線デバイスに割り当てられた時間領域リソースを決定するように動作可能である。第２の情報は、第１の情報とは異なる。
【０００６】
いくつかの実施形態によれば、無線デバイスによって実行される方法は、ネットワークノードから受信された第１の情報に基づいて、複数の時間領域リソース割り当てテーブルのうちの１つを決定することを含む。本方法は、複数の時間領域リソース割り当てテーブルのうちの決定された１つと、ネットワークノードから受信された第２の情報とに基づいて、無線信号の送信または受信のために無線デバイスに割り当てられた時間領域リソースを決定することをさらに含む。第２の情報は、第１の情報とは異なる。
【０００７】
特定の実施形態によれば、コンピュータプログラムは無線デバイスの少なくとも１つのプロセッサによって実行されるときに、無線デバイスに、ネットワークノードから受信された第１の情報に基づいて複数の時間領域リソース割り当てテーブルのうちの１つを決定させ、複数の時間領域リソース割り当てテーブルのうちの決定された１つと、ネットワークノードから受信された第２の情報とに基づいて無線信号の送信または受信のために無線デバイスに割り当てられた時間領域リソースを決定させる命令を有する。第２の情報は、第１の情報とは異なる。いくつかの実施形態では、コンピュータプログラムを含むキャリアは、電気信号、光信号、無線信号、またはコンピュータ可読記憶媒体のうちの１つである。
【０００８】
特定の実施形態によれば、無線デバイスは、ネットワークノードから受信された第１の情報に基づいて、複数の時間領域リソース割り当てテーブルのうちの１つを決定するように動作可能である。複数の時間領域リソース割り当てテーブルのうちの決定された１つと、ネットワークノードから受信された第２の情報とに基づいて、無線デバイスは、無線信号の送信または受信のために無線デバイスに割り当てられた時間領域リソースを決定するように動作可能である。第２の情報は、第１の情報とは異なる。
【０００９】
上述の無線デバイス、無線デバイスによって実行される方法、および／またはコンピュータプログラムは、それぞれ、以下の特徴のうちの任意の１つ以上のような、１つ以上の追加の特徴を含んでもよい。
【００１０】
いくつかの実施形態では、第２の情報がＤＣＩで受信された時間領域リソース割り当てフィールドを含む。
【００１１】
いくつかの実施形態では、第１の情報に基づいて決定された複数の時間領域リソース割り当てテーブルのうちの１つは、複数のエントリを含み、第２の情報は、無線デバイスに割り当てられた時間領域リソースを決定するために複数のエントリのうちのどれを使用すべきかを示す。
【００１２】
いくつかの実施形態では、時間領域リソース割り当てテーブルは、時間領域リソース割り当てのための開始ＯＦＤＭシンボル位置と（複数の）ＯＦＤＭシンボルの期間（持続時間）の異なる組合せを含む。
【００１３】
いくつかの実施形態では、複数の時間領域リソース割り当てテーブルがＰＵＳＣＨまたは、ＰＤＳＣＨのための時間領域リソース割り当てに関係する。
【００１４】
いくつかの実施形態では、複数の時間領域リソース割り当てテーブルは、時間領域リソース割り当てのためのデフォルト値を有する事前定義されたテーブルとＲＲＣ設定（構成）されたテーブルの少なくとも１つを含む。すなわち、複数の時間領域リソース割り当てテーブルは、時間領域リソース割り当ておよび／またはＲＲＣ設定テーブルに対するデフォルト値を有する事前定義されたテーブルを含む。
【００１５】
いくつかの実施形態では、第１の情報は、無線ネットワーク一時識別子（ＲＮＴＩ）を含む。
【００１６】
いくつかの実施形態では、第１の情報は、無線信号をスケジュールするために使用される制御チャネルに関連するサーチ空間を示す情報を含む。
【００１７】
いくつかの実施形態では、第１の情報は、無線信号をスケジュールするために使用されるＣＯＲＥＳＥＴに関連する情報を含む。
【００１８】
いくつかの実施形態では、第１の情報は、帯域幅部分に関連する情報を含む。
【００１９】
いくつかの実施形態では、第１の情報は、スロットフォーマットを示す情報を含む。
【００２０】
いくつかの実施形態では、第１の情報は、サイクリックプレフィックス、ＯＦＤＭサブキャリア間隔、またはヌメロロジーを示す他の情報を備える。
【００２１】
いくつかの実施形態では、無線信号は、決定された時間領域リソースを使用して送信または受信される。
【００２２】
特定の実施形態によれば、ネットワークノードは、メモリおよび処理回路を備える。メモリは、命令を格納するように動作可能であり、処理回路は、命令を実行するように動作可能であり、それによって、ネットワークノードは、無線信号の送信または受信のために無線デバイスに割り当てる時間領域リソースを決定するように動作可能である。ネットワークノードはさらに、無線デバイスが複数の時間領域リソース割り当てテーブルのうちの１つを決定する（ための）第１の情報と、複数の時間領域リソース割り当てテーブルのうちの決定された１つに基づいて無線デバイスが時間領域リソースを決定する（ための）第２の情報とを送信するように動作可能である。第２の情報は、第１の情報とは異なる。
【００２３】
特定の実施形態によれば、ネットワークノードによって実行される方法は、無線信号の送信または受信のために無線デバイスに割り当てるための時間領域リソースを決定することを含む。本方法は、無線デバイスが複数の時間領域リソース割り当てテーブルのうちの１つを決定するための第１の情報と、決定された複数の時間領域リソース割り当てテーブルのうちの１つに基づいて無線デバイスが時間領域リソースを決定するための第２の情報とを送信することをさらに含む。第２の情報は、第１の情報とは異なる。
【００２４】
いくつかの実施形態によれば、コンピュータプログラムは、ネットワークノードの少なくとも１つのプロセッサによって実行されるときに、無線信号の送信または受信のために無線デバイスに割り当てるべき時間領域リソースをネットワークノードに決定させる命令を備える。この命令はさらに、ネットワークノードに、無線デバイスが複数の時間領域リソース割り当てテーブルのうちの１つを決定するための第１の情報と、複数の時間領域リソース割り当てテーブルのうちの１つを決定するための第２の情報とを送信させる。第２の情報は、第１の情報とは異なる。いくつかの実施形態では、コンピュータプログラムを含むキャリアは、電気信号、光信号、無線信号、またはコンピュータ可読記憶媒体のうちの１つである。
【００２５】
特定の実施形態によれば、ネットワークノードは、無線信号の送信または受信のために無線デバイスに割り当てる時間領域リソースを決定するように動作可能である。ネットワークノードはさらに、無線デバイスが複数の時間領域リソース割り当てテーブルのうちの１つを決定するための第１の情報と、複数の時間領域リソース割り当てテーブルのうちの決定された１つに基づいて無線デバイスが時間領域リソースを決定するための第２の情報とを送信するように動作可能である。第２の情報は、第１の情報とは異なる。
【００２６】
上述のネットワークノード、ネットワークノードによって実行される方法、および／またはコンピュータプログラムは、それぞれ、以下の特徴のうちの任意の１つ以上のような、１つ以上の追加の特徴を含んでもよい。
【００２７】
いくつかの実施形態では、第２の情報は、ＤＣＩで送信される時間領域リソース割り当てフィールドを含む。
【００２８】
いくつかの実施形態では、複数の時間領域リソース割り当てテーブルのうちの１つは、複数のエントリを含む。第２の情報は、無線デバイスが時間領域リソースを決定するために使用すべき複数のエントリのうちのどれを使用すべきかを示す。
【００２９】
いくつかの実施形態では、時間領域リソース割り当てテーブルは、時間領域リソース割り当てのための開始ＯＦＤＭシンボル位置とＯＦＤＭシンボルの期間の異なる組合せを含む。
【００３０】
いくつかの実施形態では、複数の時間領域リソース割り当てテーブルは、ＰＵＳＣＨまたはＰＤＳＣＨのための時間領域リソース割り当てに関係する。
【００３１】
いくつかの実施形態では、複数の時間領域リソース割り当てテーブルは、時間領域リソース割り当ておよび／またはＲＲＣ設定テーブルに対するデフォルト値を有する事前定義されたテーブルを含む。
【００３２】
いくつかの実施形態では、第１の情報は、ＲＮＴＩを含む。
【００３３】
いくつかの実施形態では、第１の情報は、無線信号をスケジュールするために使用される制御チャネルに関連するサーチ空間を示す情報を含む。
【００３４】
いくつかの実施形態では、第１の情報は、無線信号をスケジュールするために使用されるＣＯＲＥＳＥＴに関連する情報を含む。
【００３５】
いくつかの実施形態では、第１の情報は、帯域幅部分に関連する情報を含む。
【００３６】
いくつかの実施形態では、第１の情報は、スロットフォーマットを示す情報を含む。
【００３７】
いくつかの実施形態では、第１の情報がサイクリックプレフィックス、ＯＦＤＭサブキャリア間隔、またはヌメロロジーを示す他の情報を備える。
【００３８】
いくつかの実施形態では、割り当てられた時間領域リソースは、無線信号を送信または受信するために使用される。
【００３９】
本明細書で開示される問題のうちの１つまたは複数に対処する様々な実施形態が、本明細書で提案される。特定の実施形態は、以下の技術的利点のうちの１つまたは複数を提供することができる。特定の実施形態は、ＤＣＩビットの数を増加させることなく、時間領域リソースのより柔軟なスケジューリングを可能にする。
【図面の簡単な説明】
【００４０】
【図１】図１は、特定の実施形態による、複数の時間領域リソース割り当てテーブルの例を示す。
【図２】図２は、特定の実施形態による、無線デバイスにおいて使用するための方法の例を示す。
【図３】図３は、特定の実施形態による、無線デバイスにおいて使用するための方法の例を示す。
【図４】図４は、特定の実施形態による、ネットワークノードにおいて使用するための方法の例を示す。
【図５】図５は、特定の実施形態による、無線ネットワークにおける装置の概略ブロック図を示す。
【図６】図６は、いくつかの実施形態による、無線ネットワークの例を示す。
【図７】図７は、いくつかの実施形態による、ユーザ装置の例を示す。
【図８】図８は、いくつかの実施形態による仮想化環境の例を示す。
【図９】図９は、いくつかの実施形態による、中間ネットワークを介してホストコンピュータに接続された電気通信ネットワークの一例を示す。
【図１０】図１０は、いくつかの実施形態による、基地局を介して部分無線接続を介してユーザ装置と通信するホストコンピュータの例を示す。
【図１１】図１１は、いくつかの実施形態による、ホストコンピュータ、基地局、およびユーザ装置を含む通信システムにおいて実装される方法の例を示す。
【図１２】図１２は、いくつかの実施形態による、ホストコンピュータ、基地局、およびユーザ装置を含む通信システムにおいて実装される方法の例を示す。
【図１３】図１３は、いくつかの実施形態による、ホストコンピュータ、基地局、およびユーザ装置を含む通信システムにおいて実装される方法の例を示す。
【図１４】図１４は、いくつかの実施形態による、ホストコンピュータ、基地局、およびユーザ装置を含む通信システムにおいて実装される方法の例を示す。
【発明を実施するための形態】
【００４１】
一般に、本明細書で使用されるすべての用語は異なる意味が明確に与えられ、および／またはそれが使用される文脈から暗示されない限り、関連する技術分野におけるそれらの通常の意味に従って解釈されるべきである。a/an/the要素、装置、構成要素（コンポーネント）、手段、ステップなどへの言及はすべて、特に明記しない限り、要素、装置、構成要素、手段、ステップなどの少なくとも１つのインスタンスを指すものとして開放的に解釈されるべきである。本明細書に開示される任意の方法のステップは、ステップが別のステップの後または前として明示的に記載されていない限り、および／またはステップが別のステップの後または前になければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆も同様である。添付の実施形態の他の目的、特徴、および利点は、以下の説明から明らかになるのであろう。
【００４２】
ここで、本明細書で企図される実施形態のいくつかを、添付の図面を参照してより完全に説明する。しかしながら、他の実施形態は、本明細書に開示された被写体の範囲内に含まれ、開示された主題は本明細書に記載された実施形態のみに限定されると解釈されるべきではなく、むしろ、これらの実施形態は、主題の範囲を当業者に伝えるために例として提供される。追加情報は、付録Ａおよび付録Ｂにも記載されている。
【００４３】
図１は、複数の（例では２つの）時間領域リソース割り当てテーブルで設定された無線デバイスを示している。時間領域リソース割り当てテーブルの例には、時間領域リソース割り当てのデフォルト値を持つ事前定義テーブル、ＲＲＣシグナリングを使用して設定されたテーブル、および事前定義テーブルとＲＲＣ設定テーブルの組合せが含まれる。時間領域リソース割り当てテーブルは、無線信号の送信または受信のための、ＰＵＳＣＨまたはＰＤＳＣＨの時間領域リソースなどの時間領域リソースの割り当てを示す。いくつかの実施形態では、時間領域リソース割り当てテーブルは、ＯＦＤＭシンボルを参照して時間領域リソースの割り当てを示す。例えば、図１は、時間領域リソース割り当てテーブルが、時間領域リソース割り当てのための、開始ＯＦＤＭシンボル位置と（複数の）ＯＦＤＭシンボルの（ＯＦＤＭシンボルにおける）期間（持続時間）の異なる組合せを含むことを示す。図から分かるように、時間領域リソース割り当てテーブルは複数のエントリを含み、異なるテーブルエントリは、ＯＦＤＭ開始シンボルおよび／またはＯＦＤＭシンボルにおけるスケジュールされた期間のうちの少なくとも１つにおいて異なり得る。ＯＦＤＭシンボルは、開始シンボル、停止シンボル、およびシンボルの期間（例えば、開始シンボルおよび停止シンボル、開始シンボルおよび期間、または停止シンボルおよび期間）から選択された任意の２つのパラメータを使用して示され得る。開始シンボルは、スロット境界に関して絶対的であってもよく、スケジューリングＤＣＩ／ＣＯＲＥＳＥＴに関して絶対的であってもよい。異なるテーブルは、開始（または終了)ＯＦＤＭシンボルに関して異なる定義を有することもできる。例えば、いくつかのテーブルは、スロットの絶対ＯＦＤＭシンボル番号で開始（または終了)ＯＦＤＭシンボルを表すことができ、他のテーブルは、ＰＤＳＣＨ／ＰＵＳＣＨをスケジュールするために使用されるＰＤＣＣＨ／ＣＯＲＥＳＥＴシンボル（複数可）に対する開始（または終了）シンボルを表すことができる。絶対ナンバリング（番号）はスロットベースまたはタイプＡの送信に有用であり得、相対ナンバリングは非スロットベースまたはタイプＢの送信によって好まれ得る。原則として、異なるテーブルは異なるエントリ数を持つことができるが、図１に示す例では、各テーブルの同じエントリ数が想定されている。
【００４４】
無線デバイスは、基地局のようなネットワークノードから受信した第１の情報に基づいて、使用する時間領域リソース割り当てテーブルを決定する。無線デバイスは、第１の情報から決定された時間領域リソース割り当てテーブルに基づいて、およびネットワークノードから受信された第２の情報に基づいて、無線デバイスに割り当てられた時間領域リソースを決定する。第２の情報は、第１の情報とは異なる。いくつかの実施形態では、第２の情報は、無線デバイスに割り当てられた時間領域リソースを決定するために使用する決定されたテーブルのどのエントリを示す。例えば、第２の情報は、ＤＣＩで受信されたビットフィールドのような時間領域リソース割り当てフィールドを含んでもよい。図１に示されている例に関して、各テーブルは、２ビット幅のビットフィールドを含む時間領域リソース割り当てフィールドがテーブル内の４つのエントリのうちの１つを選択するために使用されてもよいように、４つのエントリを含む（例えば、最初のエントリを選択するために「００」、２番目のエントリを選択するために「０１」、３番目のエントリを選択するために「１０」、４番目のエントリを選択するために「１１」）。
【００４５】
上述したように、無線デバイスは、第１の情報に基づいてテーブルを決定する。第１の情報は、ＤＣＩで受信した時間領域リソース割り当てフィールド以外の情報で構成される。この他の情報の例は、無線ネットワーク一時識別子（ＲＮＴＩ）、ＤＣＩに含まれる情報、どのＤＣＩフォーマットがスケジューリングのために使用されたか、どのＣＯＲＳＥＴ／サーチ空間がスケジューリングのために使用されたか、送信がスロットベースまたは非スロットベースか、キャリアアグリゲーション関連情報、帯域幅部分関連情報、スロットフォーマット、および／またはヌメロロジー（例えば、サイクリックプレフィックス、ＯＦＤＭサブキャリア間隔など）を示す情報である。
【００４６】
いくつかの実施形態では、第１の情報は、別の目的のために既にシグナリングされているＤＣＩ内の別のフィールド（すなわち、時間領域リソース割り当てフィールド以外のフィールド）とすることができる。例えば、ＤＣＩにタイプＡスケジューリングとタイプＢスケジューリングを区別するビットが含まれている場合、このビットを使用して、図１の２つのテーブルのいずれかを選択できる。別の例として、スロットベースの送信と非スロットベースの送信を区別するビットがある。スロットＢスケジューリング、非スロットベース送信、およびミニスロットは、通常、期間が短い送信である。スロットベースの送信は、典型的にはスロットの順序で、送信の長さを有する。したがって、タイプＡ／タイプＢまたは非スロットベース送信／スロットベース送信を区別するビットに基づいて、２つの異なる時間領域リソース割り当てテーブルを使用することは理にかなっている。
【００４７】
マルチスロットインジケータビットを使用してマルチスロットスケジューリングがＤＣＩで動的に示される場合、このビットは、シングルスロットおよびマルチスロット（スロット集約）送信に使用される時間領域リソース割り当てテーブルを区別するための最初の情報として使用することができる。これらの２つの場合において、リソース割り当ては明らかに異なる。マルチスロットの時間領域リソース割り当てには、シンボル情報に加えて、スロット情報も含めることができる。ここで、より多くの時間領域リソース割り当てを可能にするために、マルチスロットインジケータビットがセットされる場合、ＤＣＩで受信される時間領域リソース割り当てフィールドは、より大きなビットフィールドであることができる。同じ原理は、マルチスロットスケジューリングがＤＣＩ内のマルチスロットインジケータビットを介して示されず、他の方法で示される場合にも当てはまる。
【００４８】
本開示のある実施形態は、時間領域リソース割り当てテーブルを選択するための第１の情報としてＤＣＩフォーマット（例えば、通常のＤＣＩまたはフォールバックＤＣＩ）を使用する。例えば、ＮＲについては、２つの異なるＤＣＩバリアントを使用することが３ＧＰＰで論じられている。第１の変形は、必要とされるあらゆる種類のシグナリングまたは設定に使用することができる通常のＤＣＩである。この通常のＤＣＩはその使用に応じて（すなわち、実際のＲＲＣ設定に応じて）サイズおよびフォーマットが変化し、ＬＴＥ ＤＣＩフォーマットにいくらか類似している。第２の変形は、固定された所定のサイズを有するフォールバックＤＣＩである。固定サイズのフォールバックＤＣＩは、典型的には、無線通信のための設定の不確定性の影響を制限するために、ネットワークおよびＵＥの両方に知られている固定サイズのＤＣＩを有することが価値がある設定の不確定性の期間があるときに、ＲＲＣ再設定中に必要とされる。設定の不確実性の問題は、ＵＥがいつＲＲＣ再設定を適用するかをネットワークが知らないときに生じる。例えば、ＵＥは情報をリストしなければならないか、あるいはＲＲＣコマンドがＵＥに到達する前に必要とされる複数の再送があるかもしれない。したがって、ＵＥが新しい設定を適用したかもしれないが、ネットワークがそれを認識しない、またはその逆の期間がある。したがって、この期間中、両側によって「常に」知られている通信方法が必要であり、この必要性は、設定不可能なフォールバックＤＣＩを使用することによって満たされる。
【００４９】
無線デバイスは、複数の制御チャネルリソースセット（ＣＯＲＥＳＥＴ）で設定でき、各ＣＯＲＥＳＥＴ には１つ以上のサーチ空間を含めることができる。送信をスケジュールするために使用されたＣＯＲＥＳＥＴおよび／またはサーチ空間は、時間領域リソース割り当てテーブルを決定するための第１の情報として使用することができる。
【００５０】
ＤＣＩは、送信がＤＬであるかＵＬであるかを示すダウンリンク／アップリンク（ＤＬ／ＵＬ）インジケータビットを含む。ＤＬ割り当て受信→ＤＬデータ受信とＵＬグラント（許可）受信→ＵＬデータ送信との間のフレーム構造および異なる処理時間の差のために、ＤＬおよびＵＬは、異なる時間領域リソース割り当てを必要とする可能性がある。したがって、ＤＬ／ＵＬインジケータビットは、時間領域リソース割り当てテーブルを決定するための第１の情報として使用することができる。
【００５１】
キャリアアグリゲーションの場合、無線デバイスは、複数のキャリアを用いて構成される。異なるキャリアは、異なるヌメロロジーと、ロングタームエボリューション（ＬＴＥ）と共存するために異なる必要性を有することができ、異なるＤＬ／ＵＬ設定でセットアップされる。次に、異なるキャリアに対する異なる時間領域リソース割り当てをサポートすることが意味をなす。したがって、スケジュールされたキャリアに応じて、時間領域リソース割り当てテーブルが選択される（すなわち、スケジュールされたキャリアは、時間領域リソース割り当てテーブルを決定するための第１の情報として使用されてもよい）。クロスキャリアスケジューリングが適用されない場合（すなわち、ＰＤＣＣＨがＰＤＳＣＨと同じキャリア上で、または関連付けられたキャリア上でＰＵＳＣＨキャリア上で送信される場合）、スケジューリングＤＣＩが送信されるキャリアは、時間領域リソース割り当てテーブルを決定する。クロスキャリアスケジューリングが使用される場合（すなわち、ＰＤＣＣＨがＰＤＳＣＨとして別のキャリア上で送信されるか、またはＰＵＳＣＨキャリアに関連するキャリア上で送信される場合）、ＤＣＩにおける情報、またはＤＣＩがどのように送信されるかは、ＰＤＳＣＨ／ＰＵＳＣＨキャリアを示す。例えば、キャリアインジケータフィールド（ＣＩＦ）は、ＰＤＳＣＨ／ＰＵＳＣＨキャリアを指すＤＣＩに含まれることができる。ＣＯＲＥＳＥＴにおいてサーチ空間がどのように位置するかに関する異なるオフセットも、ＰＤＳＣＨ／ＰＵＳＣＨキャリアを示すために使用され得る。識別されたキャリアに基づいて、時間領域リソース割り当てテーブルが選択される。
【００５２】
ＬＴＥおよびＮＲでは、送信は、異なる無線ネットワーク一時識別情報（ＲＮＴＩ）を使用してスケジュールすることができる。名前が暗示するように、ＲＮＴＩは、特定の無線チャネル、および時には特定のＵＥを識別するために使用される一種の識別番号である。いくつかの例は：
‐Ｃ-ＲＮＴＩ：セルレベルでのスケジューリングに使用される。Ｃ-ＲＮＴＩは、ＲＲＣ接続の識別子およびスケジューリングのために使用される固有のＵＥＩＤである
‐ランダムアクセス手順中に使用されるＲＡ−ＲＮＴＩ
‐ＳＩ-ＲＮＴＩ：ダウンリンクにおけるシステム情報の識別
‐Ｐ-ＲＮＴＩ：ダウンリンクにおけるページングおよびシステム情報変更通知の識別
例えば、異なるＲＮＴＩがスロットベース送信と非スロットベース送信をスケジュールするために使用されることが想定され得る。したがって、異なるＲＮＴＩは、検出するＲＮＴＩに応じて、異なる時間領域リソース割り当てと無線デバイスにマッピングでき、時間領域リソース割り当てテーブルを選択する。したがって、ＲＮＴＩは、時間領域リソース割り当てテーブルを決定するための第１の情報として使用されてもよい。
【００５３】
ＮＲは、異なるヌメロロジー、例えばＯＦＤＭサブキャリア間隔および／またはサイクリックプレフィックスをサポートする。異なるヌメロロジー（サイクリックプレフィックスを含む）を使用して、レイテンシ（待ち時間）に関して送信を最適化するか、または端末の現在の無線状態に対してヌメロロジーを個別に採用することができる。様々なヌメロロジーを、異なる時間領域リソース割り当てと無線デバイスにマッピングすることができ、送信の数に基づいて、正しい時間領域リソース割り当てテーブルを選択する。ＮＲでは、異なる帯域幅部分（ＢＷＰ）が異なるヌメロロジーのために使用される。したがって、ＢＷＰが異なれば、異なる時間領域リソース割り当てテーブルが使用される可能性がある。例えば、ＤＣＩにＢＷＰインジケータフィールドが含まれている場合、これは時間領域リソース割り当てテーブルを決定するための第１の情報として使用できる。
【００５４】
さらに別の可能性は、時間領域リソース割り当てテーブルを決定するための第１の情報としてスロットフォーマットを使用することである。例えば、無線デバイスは、無線デバイスによって決定されたスロットフォーマットに基づいて、どのテーブルを使用するかを決定することができる。スロットフォーマットは、ＰＤＳＣＨが受信された（またはＰＵＳＣＨが送信された）スロットに基づいて決定することができる。あるいは、スロットフォーマットがマルチスロット送信の場合に、ＰＤＳＣＨが受信される（またはＰＵＳＣＨが送信される）第１のスロットに適用可能なフォーマットに基づいて決定され得る。スロットフォーマットは、上位レイヤシグナリングおよび／またはＬ１シグナリング（例えば、ＤＣＩまたはグループ共通ＰＤＣＣＨで受信されるスロットフォーマットインジケータ）を介して無線デバイスによって決定され得、スロット内のダウンリンク／アップリンク／未知のシンボルのうちの少なくとも１つ以上を示す。
【００５５】
初期アクセスでは、残りの最小システム情報（ＲＭＳＩ）がスロットベースの送信および非スロットベースの送信に基づいて送信されることができる。物理ブロードキャストチャネル（ＰＢＣＨ）のマスタ情報ブロック（ＭＩＢ）には、ＲＭＳＩの配布方法に関する情報が含まれている。ＲＭＳＩがどのように送信されるかに応じて、異なる時間領域リソース割り当てテーブルを使用して、ＲＭＳＩのためのスケジューリング柔軟性を最大化することができる。したがって、ＲＭＳＩの送信方法に関連する情報を、時間領域リソース割り当てテーブルを決定するための第１の情報として使用することができる。
【００５６】
図２は、無線デバイスで、テーブル内の時間領域リソース割り当てテーブルと時間領域リソース割り当てエントリを選択する方法のフローチャートを示している。まず、この方法は、時間領域リソース割り当てテーブルを選択することを含む。いくつかの実施形態において、本方法は例えば、ネットワークノードが、無線デバイスがどの時間領域リソース割り当てテーブルを選択すべきかを明示的に示すＤＣＩを送らなくても、ネットワークノードおよび無線デバイスに利用可能な情報に基づいて、複数の時間領域リソース割り当てテーブルのうちの１つを選択することを含む。第２に、本方法は、選択されたテーブル内の時間領域リソース割り当てエントリを決定することを含む。例えば、ネットワークノードの観点から、ネットワークノードは時間領域リソース割り当てエントリを決定し、ＤＣＩにおける時間領域リソース割り当てフィールド内のエントリを明示的にシグナリングする。無線デバイスの観点から、無線デバイスは、ネットワークノードからＤＣＩで受信した時間領域リソース割り当てフィールドに基づいて、選択されたテーブル内の時間領域リソース割り当てエントリを決定する。
【００５７】
さらに、上記のテーブルは、可能な時間領域リソース割り当てのセットから設定される可能性がある。時間領域リソース割り当ての集合の例を表（テーブル）１に示す。
2021503734.tif 000003
【００５８】
表１において、マルチスロットスケジューリングは、別個の列として表に直接含まれている。「適用可能スロット（Ｌ２スロット）」の列に記載されている。他の実施形態では、マルチスロットスケジューリングを他の方法で示すことができる。いくつかの実施形態では表１の４つのエントリを、図１のテーブルＡを構築するように設定することができる（例えば、テーブルＡは図１に示す例では４つのエントリを有する）。このためのシグナリングはシステム情報内にあってもよいし、無線リソース制御（ＲＲＣ）による無線デバイス固有のシグナリングによるものであってもよい。同様の方法は、テーブルＢ等に対しても行うことができる。
【００５９】
次に、ＲＮＴＩ、ＤＣＩに含まれる情報、ＤＣＩフォーマットがスケジューリングに使用され、送信がスロットベースまたは非スロットベースである場合に、ＣＯＲＳＥＴ／サーチ空間はスケジューリングに使用され、キャリアアグリゲーション関連情報、帯域幅部分関連情報、スロットフォーマット、および／またはヌメロロジー（例えば、サイクリックプレフィックス、ＯＦＤＭサブキャリア間隔など）を示す情報などの第１の情報に従って、テーブルが選択される。ＤＣＩにおける時間領域リソース割り当てフィールドは、選択されたテーブル内のエントリを指し示す。表１はＰＤＳＣＨについて記載されているが、ＰＵＳＣＨについても同様の表を構築することができることがさらに観察される。前述したように、異なるテーブル（テーブルＡ、テーブルＢ、...）は異なるＣＯＲＥＳＥＴ/サーチ空間／...に対して設定でき、各テーブルＡ、Ｂ、は、テーブル１の行で設定される。
【００６０】
最初のアクセスに特別に、ランダムアクセス手順におけるシステム情報、ページング、ランダムアクセス応答、メッセージ３のスケジューリングのための仕様において、表１のいくつかのエントリを直接ハードコードすることができる。デフォルト値がない場合、デフォルトの時間領域リソース割り当てを設定するために、ＭＩＢ／ＰＢＣＨで追加のシグナリングが必要になる。これらの値は新しい時間領域リソース割り当てテーブルで設定されていない限り、無線デバイスが使用するデフォルト値にすることもできる。
【００６１】
本明細書で開示される任意の適切なステップ、方法、特徴、機能、または利益は、１つまたは複数の仮想装置の１つまたは複数の機能ユニットまたはモジュールを介して実行され得る。各仮想装置は、いくつかのこれらの機能ユニットを備えることができる。これらの機能ユニットは、１つまたは複数のマイクロプロセッサまたはマイクロコントローラを含むことができる処理回路、ならびにデジタル信号プロセッサ（ＤＳＰ）、専用デジタル論理などを含むことができる他のデジタルハードウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つまたは複数のタイプのメモリを含むことができる、メモリに格納されたプログラムコードを実行するように構成することができる。メモリに格納されたプログラムコードは、１つまたは複数の電気通信および／またはデータ通信プロトコルを実行するためのプログラム命令、ならびに本明細書で説明される技法のうちの１つまたは複数を実行するための命令を含む。いくつかの実装形態では、処理回路がそれぞれの機能ユニットに、本開示の１つまたは複数の実施形態による対応する機能を実行させるために使用され得る。
【００６２】
図３は、特定の実施形態による方法を示す。いくつかの実施形態では、方法は、ＵＥなどの無線デバイスによって実行され得る。この方法は、ステップ３０において、ネットワークノードから受信した第１の情報に基づいて、複数の時間領域リソース割り当てテーブルのうちの１つを決定することから始まる。方法は、複数の時間領域リソース割り当てテーブルのうちの決定された１つと、第１の情報とは異なるネットワークノードから受信された第２の情報とに基づいて、無線信号の送信または受信のために無線デバイスに割り当てられた（割り当てられる）時間領域リソースを決定するステップ３２に続く。第１の情報の例、すなわち、無線デバイスが時間領域リソース割り当てテーブルを決定することができる情報、および第２の情報、すなわち、無線デバイスが時間領域リソースを決定することができる情報は限定されないが、上記および上記の図１〜２、ならびに以下のグループＡの実施形態に関して説明される例を含む。いくつかの実施形態では、方法がステップ３４において、決定された時間領域リソースを使用して無線信号を送信または受信することをさらに含む。
【００６３】
図４は、特定の実施形態による方法を示す。いくつかの実施形態では、方法は、基地局などのネットワークノードによって実行され得る。この方法は、ステップ４０において、無線信号の送信または受信のために無線デバイスに割り当てる時間領域リソースを決定することから始まる。例えば、ある実施形態では、ネットワークノードは、識別されたテーブルおよび現在のスケジューリングの必要性のような他の情報に基づいて、時間領域リソース割り当てを決定する。次に、ネットワークノードは、決定された時間領域リソース割り当てに対応するテーブルからエントリを選択することができる。さらに、ネットワークノードは、選択されたエントリを無線デバイスに示すための第２の情報を決定してもよい。本方法は、無線デバイスが複数の時間領域リソース割り当てテーブルのうちの１つを決定するための第１の情報と、決定された複数の時間領域リソース割り当てテーブルのうちの１つに基づいて無線デバイスが時間領域リソースを決定するための第２の情報とを送信するステップ４２に進む。第２の情報は、第１の情報とは異なる。第１の情報、すなわち、無線デバイスが時間領域リソース割り当てテーブルを決定することができる無線デバイスに送信される情報、および第２の情報、すなわち、無線デバイスが時間領域リソースを決定することができる無線デバイスに送信される情報の例は図１〜２および上記に関連して説明される例、ならびに以下のグループＢの実施形態を含むが、これらに限定されない。いくつかの実施形態では、方法がステップ４４において、割り当てられた時間領域リソースを使用して無線信号を送信または受信することをさらに含む。
【００６４】
図３および図４の例に関して、ある実施形態では、第１の情報が以下のうちの１つまたは複数を含む：
ａ. ネットワークからのダウンリンク制御情報（ＤＣＩ）に含まれ、時間領域リソースの決定以外の別の目的のために無線デバイスに通知される情報；
ｂ. スケジューリングにどのＤＣＩフォーマットが使用されたかを示す情報（例えば、通常のＤＣＩフォーマットまたはフォールバックＤＣＩフォーマット）；
ｃ. スケジューリングに使用されたＣＯＲＳＥＴ／サーチ空間を示す情報；
ｄ. 送信がスロットベースか非スロットベースかを示す情報； 
ｅ. キャリアアグリゲーション関連情報；
ｆ. 帯域幅部分関連情報；
ｇ. スロットフォーマットを示す情報； 
ｈ. 送信がシングルスロットかマルチスロットかを示す情報；
ｉ. ＤＣＩで受信されるダウンリンク／アップリンクインジケータの設定； 
ｊ. 無線ネットワーク一時識別子（ＲＮＴＩ）；および／または 
ｋ. ヌメロロジー（例えば、ＯＦＤＭサブキャリア間隔および／またはサイクリックプレフィックス）を示す情報。
第２の情報は、ダウンリンク制御情報内の時間領域リソース割り当てフィールドを含み、これにより、無線デバイス／ＵＥは割り当てられた時間領域リソースを決定するために、決定された複数のテーブルの１つ内でどのエントリを使用するかを決定することができる。
【００６５】
図５は、無線ネットワーク（例えば、図６に示される無線ネットワーク）における装置５０の概略ブロック図を示す。装置は、無線デバイスまたはネットワークノード（例えば、図６に示される無線デバイス１１０またはネットワークノード１６０）において実装され得る。装置５０は、図３または図４を参照して説明された例示的な方法、および場合によっては本明細書で開示された任意の他のプロセスまたは方法を実行するように動作可能である。また、図３および図４の方法は、必ずしも装置５０によってのみ実行されるわけではないことを理解されたい。本方法の少なくともいくつかの動作は、１つまたは複数の他のエンティティによって実行することができる。
【００６６】
仮想装置５０は、１つまたは複数のマイクロプロセッサまたはマイクロコントローラ、ならびにデジタル信号プロセッサ（ＤＳＰ）、専用デジタルロジックを含むことができる他のデジタルハードウェアを含むことができる処理回路を備えることができる。処理回路は、読み出し専用メモリ（ＲＯＭ）、ランダムアクセスメモリ、キャッシュメモリ、フラッシュメモリデバイス、光記憶デバイスなどの１つまたはいくつかのタイプのメモリを含み得る、メモリに格納されたプログラムコードを実行するように構成され得る。メモリに格納されたプログラムコードは、いくつかの実施形態では１つまたは複数の電気通信および／またはデータ通信プロトコルを実行するためのプログラム命令、ならびに本明細書で説明される技法のうちの１つまたは複数を実行するための命令を含む。いくつかの実装形態では、処理回路を使用して、設定情報ユニット５２、時間リソース決定ユニット５４、通信ユニット５６、および装置５０の任意の他の適切なユニットが本開示の１つまたは複数の実施形態に従った対応する機能を実行するようにしてもよい。
【００６７】
図５に示すように、装置５０は、設定情報ユニット５２と、時間リソース決定ユニット５４と、通信ユニット５６とを含む。いくつかの実施形態では、設定情報ユニット５２は、第１の情報および第２の情報を決定するように構成される。例えば、ネットワークノードで使用される場合、設定情報ユニット５２は、無線デバイスが複数のテーブルのうちの１つを決定する無線デバイスに送信する第１の情報と、割り当てられた時間領域リソースを無線デバイスが（第１の情報から決定された複数のテーブルのうちの１つに基づいて）決定する第２の情報とを決定する。無線デバイスで使用される場合、設定情報ユニット５２は、ネットワークノードから受信した第１および第２の情報を決定する。時間リソース決定部５４は、無線信号の送信または受信のために無線デバイスに割り当てられる時間リソースを決定する。ネットワークノードで使用される場合、時間リソース決定ユニット５４は、時間領域リソースを割り当て、割り当てられた時間領域リソースをネットワークノードの設定情報ユニット５２に指示して、設定情報ユニット５２が無線デバイスに送信する第１および第２の情報（例えば、割り当てられた時間領域リソースに対応する第１および第２の情報）を決定できるようにしてもよい。無線デバイスで使用される場合、時間リソース決定ユニット５４は（例えば、無線デバイスの設定情報モジュール５２を介して）ネットワークノードから第１および第２の情報を受信することができ、第１および第２の情報を使用して、ネットワークノードが無線信号の送信または受信のために割り当てた時間領域リソースを決定することができる。通信ユニット５６は、時間リソース決定ユニット５４によって決定された割り当て時間領域リソースに従って無線信号を送信または受信する。
【００６８】
ユニットという用語は電子機器、電気デバイス、および／または電子デバイスの分野において従来の意味を有することができ、例えば、本明細書で説明されるような、電気および／または電子回路、デバイス、モジュール、プロセッサ、メモリ、論理ソリッドステートおよび／またはディスクリートデバイス、それぞれのタスク、手順、計算、出力、および／または表示機能などを実行するためのコンピュータプログラムまたは命令を含むことができる。
【００６９】
いくつかの実施形態では、コンピュータプログラム、コンピュータプログラム製品、またはコンピュータ可読記憶媒体はコンピュータ上で実行されると、本明細書で開示される実施形態のいずれかを実行する命令を含む。さらなる例では、命令が信号またはキャリア上で搬送され、コンピュータ上で実行可能であり、実行されると、本明細書で開示される実施形態のいずれかを実行する。
【００７０】
［実施形態］
グループＡの実施形態
１. 無線デバイスによって実行される方法であって、当該方法は、
‐ ネットワークノード（例えば、基地局）から受信された第１の情報に基づいて複数のテーブルのうちの１つを決定することと、
‐ 複数のテーブルのうちの決定された１つと、第１の情報とは異なる、または第１の情報以外のネットワークノードから受信された第２の情報とに基づいて、無線信号の送信または受信のために無線デバイスに割り当てられた時間領域リソースを決定することを含む。
２. 前述の実施形態の方法であって、複数のテーブルは、時間領域リソース割り当てテーブルである。
３. 前述の実施形態のいずれかの方法であって、決定された時間領域リソースを使用して該無線信号を送信または受信することをさらに含む。
４. 前述の実施形態のいずれかの方法であって、第２の情報は、ダウンリンク制御情報において受信された時間領域リソース割り当てフィールドである。
５. 前述の実施形態のいずれかの方法であって、第１の情報は、
ａ. ネットワークからのダウンリンク制御情報（ＤＣＩ）に含まれ、時間領域リソースの決定以外の別の目的のために無線デバイスにシグナリングされる情報、
ｂ. スケジューリングのためにどのＤＣＩフォーマットが使用されたかを示す情報（例えば、通常のＤＣＩフォーマットまたはフォールバックＤＣＩフォーマット）、
ｃ. スケジューリングのために使用されたＣＯＲＳＥＴ／サーチ空間を示す情報、
ｄ. 送信がスロットベースか非スロットベースかを示す情報、
ｅ. キャリアアグリゲーション関連情報、
ｆ. 帯域幅部分関連情報、
ｇ. スロットフォーマットを示す情報、
ｈ. 送信がシングルスロットかマルチスロットかを示す情報、
ｉ. ＤＣＩで受信されるダウンリンク／アップリンクインジケータの設定、
ｊ. 無線ネットワーク一時識別子（ＲＮＴＩ）、および／または、
ｋ. ヌメロロジー（例えば、ＯＦＤＭサブキャリア間隔および／またはサイクリックプレフィックス）を示す情報
のうちの１つまたは複数を含む。
６. 無線デバイスによって実行される方法であって、当該方法は、
‐ 複数のテーブルのうちの選択された１つを使用して、ネットワークが無線信号の送信または受信のために無線デバイスに割り当てた時間領域リソースを決定することを含む。
７. 前述の実施形態の方法であって、ネットワークからのダウンリンク制御情報で受信された時間領域リソース割り当てフィールド以外の情報に基づいて、選択されたテーブルを決定することをさらに含む。
８. 前述の実施形態のいずれかの方法であって、ネットワークおよび無線デバイスの両方に利用可能な情報に基づいて、無線デバイスにおいて選択されたテーブルの選択を行うことをさらに含む。
９. 実施形態６の方法であって、選択されたテーブルの選択を行うために用いられる情報は、
‐ ネットワークからのダウンリンク制御情報（ＤＣＩ）に含まれ、選択された時間領域リソース割り当ての識別以外の別の目的のために無線デバイスにシグナリングされる情報、
‐ スケジューリングのためにどのＤＣＩフォーマットが使用されたか（例えば、通常のＤＣＩフォーマットまたはフォールバックＤＣＩフォーマット）、
‐ スケジューリングに使用されたＣＯＲＳＥＴ／サーチ空間、
‐ 送信がスロットベースまたは非スロットベースか、
‐ キャリアアグリゲーション関連情報、
‐ 帯域幅部分関連情報、
‐ スロットフォーマット、
‐ 送信がシングルスロットまたはマルチスロットか、
‐ ＤＣＩで受信されるダウンリンク／アップリンクインジケータの設定、
‐ 無線ネットワーク一時識別子（ＲＮＴＩ）、および／または
‐ ヌメロロジー（例えば、ＯＦＤＭサブキャリア間隔および／またはサイクリックプレフィックス）、
のうちの１つまたは複数を含む。
１０. 前述の実施形態のいずれかの方法であって、時間領域リソース割り当てがスケジューリングシステム情報で使用されるとき、選択されたテーブルは、システム情報がスロットベースまたは非スロットベースの送信に従って配信されるかどうかに基づく。
１１. 前述の実施形態のいずれかの方法であって、選択されたテーブル内の複数のエントリのうちの選択された１つを決定することをさらに含み、選択されたエントリは、ネットワークが無線信号の送信または受信のために無線デバイスに割り当てた時間領域リソースを示す。
１２. 前述の実施形態のいずれかの方法であって、選択されたエントリは、ネットワークから受信された明示的な指示に基づいて決定される。
１３. 前述の実施形態のいずれかの方法であって、明示的な指示は、ネットワークからのダウンリンク制御情報で受信された時間領域リソース割り当てビットフィールドを介して受信される。
１４. 前述の実施形態のいずれかの方法であって、選択されたエントリは、無線信号の送信または受信のための、開始シンボル、停止シンボル、およびシンボルにおける期間のうちの少なくとも２つを示す。
１５. 前述の実施形態のいずれかの方法であって、割り当てられた時間領域リソースを使用して、物理アップリンク共有チャネル（ＰＵＳＣＨ）上で無線信号を送信することをさらに含む。
１６. 前述の実施形態のいずれかの方法であって、割り当てられた時間領域リソースを使用して、物理ダウンリンク共有チャネル（ＰＤＳＣＨ）上で無線信号を受信することをさらに含む。
１７. 前述の実施形態のいずれかの方法であって、
‐ 複数のテーブルのうちの第１は、開始または終了ＯＦＤＭシンボルを、スロット境界に対する絶対ＯＦＤＭシンボル番号として表現し、 
‐ 複数のテーブルのうちの第２は、ＰＤＳＣＨ／ＰＵＳＣＨをスケジュールするために使用されるＰＤＣＣＨ／ＣＯＲＥＳＥＴシンボル（複数可）に対する開始または終了ＯＦＤＭシンボルを表現する。
１８. 前述の実施形態のいずれかの方法であって、複数のテーブルのうちの第１のテーブルは、複数のテーブルのうちの第２のテーブルとは異なる数のエントリを含む。
１９. 前述の実施形態のいずれかの方法であって、複数のテーブルの各々は、同じ数のエントリを含む。
２０. 前述の実施形態のいずれかの方法であって、
‐ ユーザデータを提供することと、
‐ ネットワークノードへの送信を介してホストコンピュータへのユーザデータを転送することを含む。
【００７１】
グループＢの実施形態
２１. 基地局によって実行される方法であって、当該方法は、
‐ 無線信号の送信または受信のために無線デバイスに割り当てるための時間領域リソースを決定することと、
‐ 無線デバイスが複数のテーブルのうちの１つを決定するための第１の情報と、無線デバイスが、複数のテーブルのうちの１つに基づいて、割り当てられた時間領域リソースを決定するための、第１の情報とは異なる、または第１の情報以外の第２の情報をとを無線デバイスに送信することを含む。
２２. 前述の実施形態の方法であって、複数のテーブルは、時間領域リソース割り当てテーブルである。
２３. 前述の実施形態のいずれかの方法であって、決定された時間領域リソースを使用して無線信号を送信または受信することをさらに含む。
２４. 前述の実施形態のいずれかの方法であって、第２の情報は、ダウンリンク制御情報で送信される時間領域リソース割り当てフィールドである。
２５. 前述の実施形態のいずれかの方法であって、第１の情報は、
ａ. 時間領域リソースを決定する以外の目的のために基地局から無線デバイスにシグナリングされるダウンリンク制御情報（ＤＣＩ）に含まれる情報、
ｂ. スケジューリングにどのＤＣＩフォーマットが使用されたかを示す情報（例えば、通常のＤＣＩフォーマットまたはフォールバックＤＣＩフォーマット）、
ｃ. スケジューリングに使用されたＣＯＲＳＥＴ／サーチ空間を示す情報、
ｄ. 送信がスロットベースか非スロットベースかを示す情報、
ｅ. キャリアアグリゲーション関連情報、
ｆ. 帯域幅部分関連情報、
ｇ. スロットフォーマットを示す情報、
ｈ. 送信がシングルスロットかマルチスロットかを示す情報、
ｉ. ＤＣＩで受信されるダウンリンク／アップリンクインジケータの設定、
ｊ. 無線ネットワーク一時識別子（ＲＮＴＩ）、および／または、
ｋ. ヌメロロジー（例えば、ＯＦＤＭサブキャリア間隔および／またはサイクリックプレフィックス）を示す情報、
のうちの１つまたは複数を含む。
２６. ネットワークノード（例えば、基地局）によって実行される方法であって、当該方法は、
‐ 無線信号の送信または受信のためにネットワークノードが無線デバイスに割り当てている時間領域リソースを決定するために無線デバイスが使用している複数のテーブルのうちの１つを決定することと、
‐ 複数のテーブルの決定された１つの中の複数のエントリのうちの１つを示す無線デバイス情報を送信し、選択されたエントリは、無線信号の送信または受信のために前記無線デバイスに割り当てられた時間領域リソースを示す。
２７. 前述の実施形態のいずれかの方法であって、複数のテーブルのうちの１つは、ネットワークノードおよび無線デバイスの両方に利用可能な情報に基づいて決定される方法。
２８. 実施形態２６の方法であって、無線デバイスがどのテーブルを使用しているかを決定するために使用される情報（すなわち、複数のテーブルのうちの一つ）は、
‐ 選択された時間領域リソース割り当ての識別以外の別の目的のために、ネットワークが無線デバイスにシグナリングするダウンリンク制御情報（ＤＣＩ）に含まれる情報、
‐ スケジューリングのためにどのＤＣＩフォーマットが使用されたか（例えば、通常のＤＣＩフォーマットまたはフォールバックＤＣＩフォーマット）、
‐ スケジューリングに使用されたＣＯＲＳＥＴ／サーチ空間、
‐ 送信がスロットベースまたは非スロットベースか、
‐ キャリアアグリゲーション関連情報、
‐ 帯域幅部分関連情報、 
‐ スロットフォーマット、
‐ 送信がシングルスロットまたはマルチスロットか、
‐ ＤＣＩで受信されるダウンリンク／アップリンクインジケータの設定、
‐ 無線ネットワーク一時識別子（ＲＮＴＩ）、および／または、
‐ ヌメロロジー（例えば、ＯＦＤＭサブキャリア間隔および／またはサイクリックプレフィックス）、
を含む。
２９. 前述の実施形態のいずれかの方法であって、時間領域リソース割り当ては、システム情報をスケジューリングする際に使用される場合、複数のテーブルのうちの１つはシステム情報がスロットベースの送信に基づいて配信されるか、またはスロットベースでない送信に基づいて配信されるかに基づいて決定される。
３０. 前述の実施形態のいずれかの方法であって、複数のエントリのうちの１つを示す情報は、明示的に送信される。
３１. 前述の実施形態のいずれかの方法であって、複数のエントリのうちの１つを示す情報は、無線デバイスに送信されるダウンリンク制御情報における時間領域リソース割り当てビットフィールドを介して送信される。 
３２. 前述の実施形態のいずれかの方法であって、複数のエントリのうちの１つは、無線信号の送信または受信のための、開始シンボル、停止シンボル、およびシンボルの（シンボルにおける）期間のうちの少なくとも２つを示す。
３３. 前述の実施形態のいずれかの方法であって、割り当てられた時間領域リソースを使用して、物理アップリンク共有チャネル（ＰＵＳＣＨ）上で無線信号を受信することをさらに含む。
３４. 前述の実施形態のいずれかの方法であって、割り当てられた時間領域リソースを使用して、物理ダウンリンク共有チャネル（ＰＤＳＣＨ）上で無線信号を送信することをさらに含む。
３５. 前述の実施形態のいずれかの方法であって、
‐ 複数のテーブルのうちの第１は、開始または終了ＯＦＤＭシンボルを、スロット境界に対する絶対ＯＦＤＭシンボル番号として表現し、
‐ 複数のテーブルのうちの第２は、ＰＤＳＣＨ／ＰＵＳＣＨをスケジュールするために使用されるＰＤＣＣＨ／ＣＯＲＥＳＥＴシンボル（複数可）に対する開始または終了ＯＦＤＭシンボルを表現する。
３６. 前述の実施形態のいずれかの方法であって、複数のテーブルのうちの第１のテーブルは、複数のテーブルのうちの第２のテーブルとは異なる数のエントリを含む。
３７. 前述の実施形態のいずれかの方法であって、複数のテーブルの各々は、同じ数のエントリを含む。
３８. 前述の実施形態のいずれかの方法であって、
‐ ユーザーデータを取得することと、
‐ ホストコンピュータまたは無線デバイスへユーザーデータを転送することを含む。
【００７２】
本明細書で説明される主題は、任意の好適な構成要素を使用して任意の適切な種類のシステムで実装され得るが、本明細書で開示される実施形態は、図６に示される例示的な無線ネットワークなどの無線ネットワークに関連して説明される。簡潔にするために、図６の無線ネットワークはネットワーク１０６、ネットワークノード１６０および１６０ｂ、ならびにＷＤ１１０、１１０ｂ、および１１０ｃのみを示す。実際には、無線ネットワークは、無線デバイス間の通信、または無線デバイスと、陸線電話、サービスプロバイダ、または任意の他のネットワークノードもしくはエンドデバイスなどの別の通信デバイスとの間の通信をサポートするのに適した任意の追加の要素をさらに含むことができる。図示された構成要素のうち、ネットワークノード１６０および無線デバイス（ＷＤ）１１０は、さらなる詳細を伴って示されている。無線ネットワークは、無線ネットワークによって、または無線ネットワークを介して提供されるサービスへの無線デバイスのアクセスおよび／またはそのサービスの使用を容易にするために、１つまたは複数の無線デバイスに通信および他のタイプのサービスを提供することができる。
【００７３】
無線ネットワークは、任意のタイプの通信、電気通信、データ、セルラ、および／または無線ネットワーク、または他の同様のタイプのシステムを備え、および／またはそれらとインターフェースすることができる。いくつかの実施形態では、無線ネットワークは、特定の規格または他のタイプの事前定義された規則または手順に従って動作するように構成され得る。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、および／または他の適切な２Ｇ、３Ｇ、４Ｇ、または５Ｇ標準規格などの通信標準規格、ＩＥＥＥ ８０２．１１標準規格などの無線ローカルエリアネットワーク（ＷＬＡＮ）標準規格、および／またはＷｉＭａｘ（Worldwide Interoperability for Microwave Access）、Ｂｌｕｅｔｏｏｔｈ（登録商標）、Ｚ−Ｗａｖｅ、および／またはＺｉｇＢｅｅ標準規格などの任意の他の適切な無線通信標準規格を実装することができる。
【００７４】
ネットワーク１０６は、１つ以上のバックホールネットワーク、コアネットワーク、ＩＰネットワーク、公衆交換電話網（ＰＳＴＮ）、パケットデータネットワーク、光ネットワーク、ワイドエリアネットワーク、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークから成り得る。
【００７５】
ネットワークノード１６０およびＷＤ１１０は、以下でより詳細に説明する様々な構成要素を備える。これらの構成要素は、無線ネットワークにおける無線接続を提供するなど、ネットワークノードおよび／または無線デバイスの機能を提供するために協働する。異なる実施形態では、無線ネットワークは、任意の数の有線または無線ネットワーク、ネットワークノード、基地局、コントローラ、無線デバイス、中継局、および／または有線または無線接続を介するかどうかにかかわらず、データおよび／または信号の通信を容易にするかまたは当該通信に参加することができる任意の他の構成要素またはシステムを備えることができる。
【００７６】
本明細書で使用されるように、ネットワークノードは、無線デバイスへの無線アクセスを可能にし、および／または無線デバイスへの無線アクセスを提供し、および／または無線ネットワーク内の他の機能（たとえば、管理）を実行するために、無線デバイスと、および／または無線ネットワーク内の他のネットワークノードまたは機器と直接的または間接的に通信することが可能であり、構成され、配置され、および／または動作可能な機器を指す。ネットワークノードの例は、アクセスポイント（ＡＰ）（例えば、無線アクセスポイント）、基地局（ＢＳ）（例えば、無線基地局、ノードＢ、進化型ノードＢ（ｅＮＢ）およびＮＲノードＢ（ｇＮＢ））を含むが、これらに限定されない。基地局はそれらが提供する（または別の言い方をすれば、それらの送信電力レベル）カバレージの量に基づいて分類され得、次いで、フェムト基地局、ピコ基地局、マイクロ基地局、またはマクロ基地局とも呼ばれ得る。基地局は、リレーを制御するリレーノードまたはリレードナーノードであってもよい。ネットワークノードは、集中型デジタルユニットおよび／または遠隔無線ユニット（ＲＲＵ）（遠隔無線ヘッド（ＲＲＨ）と呼ばれることもある）などの分散型無線基地局の１つまたは複数の（またはすべての）部分を含むこともできる。このような遠隔無線ユニットは、アンテナ一体型無線機としてアンテナと一体化されていてもよいし、されていなくてもよい。分散無線基地局の一部は、分散アンテナシステム（ＤＡＳ）におけるノードと呼ばれることもある。ネットワークノードのさらに別の例はＭＳＲ ＢＳなどのマルチスタンダード無線（ＭＳＲ）機器、無線ネットワークコントローラ（ＲＮＣ）または基地局コントローラ（ＢＳＣ）などのネットワークコントローラ、基地トランシーバ局（ＢＴＳ）、送信ポイント、伝送ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するような仮想ネットワークノードであってもよい。しかしながら、より一般的には、ネットワークノードが無線デバイスに無線ネットワークへのアクセスを可能にする、および／または提供する、あるいは無線ネットワークにアクセスした無線デバイスに何らかのサービスを提供することが可能な、構成された、配置された、および／または動作可能な、任意の適切なデバイス（またはデバイスのグループ）を表し得る。
【００７７】
図６において、ネットワークノード１６０は、処理回路１７０、デバイス可読媒体１８０、インターフェース１９０、補助機器１８４、電源１８６、電力回路１８７、およびアンテナ１６２を含む。図６の例示的な無線ネットワークに示されたネットワークノード１６０はハードウェア構成要素の図示された組合せを含むデバイスを表すことができるが、他の実施形態は構成要素の異なる組合せを有するネットワークノードを備えることができる。ネットワークノードは、本明細書で開示されるタスク、特徴、機能、および方法を実行するために必要とされるハードウェアおよび／またはソフトウェアの任意の適切な組合せを備えることを理解されたい。さらに、ネットワークノード１６０の構成要素はより大きなボックス内に配置された単一のボックスとして示されているか、または複数のボックス内に入れ子にされているが、実際にはネットワークノードが単一の図示された構成要素を構成する複数の異なる物理的構成要素を備えることができる（例えば、デバイス可読媒体１８０は複数の別個のハードドライブならびに複数のＲＡＭモジュールを備えることができる）。
【００７８】
同様に、ネットワークノード１６０は、複数の物理的に別個の構成要素（例えば、ノードＢ構成要素およびＲＮＣ構成要素、またはＢＴＳ構成要素およびＢＳＣ構成要素など）から構成されてもよく、それらはそれぞれ、それら自体のそれぞれの構成要素を有する可能性がある。ネットワークノード１６０が複数の別個の構成要素（例えば、ＢＴＳおよびＢＳＣ構成要素）を備える特定のシナリオでは、別個の構成要素のうちの１つまたは複数がいくつかのネットワークノード間で共有され得る。例えば、単一のＲＮＣは、複数のノードＢを制御することができる。このようなシナリオでは、それぞれの一意のＮｏｄｅＢとＲＮＣのペアが場合によっては単一の個別のネットワークノードと見なされることがある。ある実施形態では、ネットワークノード１６０が複数の無線アクセス技術（ＲＡＴ）をサポートするように構成されてもよい。そのような実施形態ではいくつかの構成要素が複製されてもよく（例えば、異なるＲＡＴのための別個のデバイス可読媒体１８０）、いくつかの構成要素は再使用されてもよい（例えば、同じアンテナ１６２はＲＡＴによって共有されてもよい）。ネットワークノード１６０はまた、例えば、ＧＳＭ、ＷＣＤＭＡ、ＬＴＥ、ＮＲ、ＷｉＦｉ、またはＢｌｕｅｔｏｏｔｈ無線技術のような、ネットワークノード１６０に統合された異なる無線技術のための様々な例示された構成要素の複数のセットを含み得る。これらの無線技術は、ネットワークノード１６０内の同じまたは異なるチップまたはチップの設定および他の構成要素に統合され得る。
【００７９】
処理回路１７０は、ネットワークノードによって提供されるものとして本明細書で説明される任意の決定、計算、または類似の動作（例えば、特定の取得操作）を実行するように構成される。処理回路１７０によって実行されるこれらの動作は例えば、取得された情報を他の情報に変換すること、取得された情報または変換された情報をネットワークノードに格納された情報と比較すること、および／または取得された情報または変換された情報に基づいて１つまたは複数の動作を実行すること、および前記処理の結果として判定を行うことによって、処理回路１７０によって取得された情報を処理することを含み得る。
【００８０】
処理回路１７０は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソース、またはハードウェア、ソフトウェア、および／または符号化ロジックの組合せのうちの１つまたは複数の組合せを備えることができ、これらは、単独で、またはデバイス可読媒体１８０、ネットワークノード１６０機能などの他のネットワークノード１６０構成要素と併せてのいずれかで提供するように動作可能である。例えば、処理回路１７０は、デバイス可読媒体１８０または処理回路１７０内のメモリに格納された命令を実行することができる。そのような機能は、本明細書で説明される各種無線特徴、機能、または利益のいずれかを提供することを含むことができる。一部の実施形態において、処理回路１７０は、チップ（ＳＯＣ）上のシステムを含むことができる。
【００８１】
いくつかの実施形態では、処理回路１７０は、無線周波数トランシーバ回路１７２およびベースバンド処理回路１７４のうちの１つまたは複数を含んでもよい。いくつかの実施形態では、無線周波数トランシーバ回路１７２およびベースバンド処理回路１７４が無線ユニットおよびデジタルユニットなどの、別個のチップ（またはチップの設定）、ボード、またはユニット上にあってもよい。代替実施形態では、ＲＦトランシーバ回路１７２およびベースバンド処理回路１７４の一部または全部が同じチップまたはチップ、ボード、またはユニットのセット上にあってもよい。
【００８２】
いくつかの実施形態では、ネットワークノード、基地局、ｅＮＢ、または他のそのようなネットワークデバイスによって提供されるものとして本明細書で説明される機能の一部またはすべては、デバイス可読媒体１８０または処理回路１７０内のメモリ上に格納された命令を実行する処理回路１７０によって実行され得る。代替の実施形態では、機能のいくつかまたはすべてはハードワイヤード方式などで、別個のまたは個別のデバイス可読媒体上に格納された命令を実行することなく、処理回路１７０によって提供され得る。これらの実施形態のいずれにおいても、デバイス可読記憶媒体上に記憶された命令を実行するか否かにかかわらず、処理回路１７０は、説明された機能を実行するように構成され得る。そのような機能性によって提供される利点は、処理回路１７０単独またはネットワークノード１６０の他の構成要素に限定されず、ネットワークノード１６０全体によって、および／またはエンドユーザおよび無線ネットワーク全体によって享受される。
【００８３】
デバイス可読媒体１８０は、限定されるものではないが、永続的記憶装置、ソリッドステートメモリ、遠隔でマウントされたメモリ、磁気媒体、光学媒体、ランダムアクセスメモリ（ＲＡＭ）、読み出し専用メモリ（ＲＯＭ）、大容量記憶媒体（例えば、ハードディスク）、取り外し可能記憶媒体（例えば、フラッシュドライブ、コンパクトディスク（ＣＤ）またはデジタルビデオディスク（ＤＶＤ））、および／または処理回路１７０によって使用され得る情報、データ、および／または命令を記憶するその他の揮発性または不揮発性、一時的でないデバイス可読および／またはコンピュータ実行可能メモリデバイスを含む、任意の形態の揮発性または不揮発性コンピュータ可読メモリを含むことができる。デバイス可読媒体１８０は、コンピュータプログラム、ソフトウェア、ロジック、ルール、コード、テーブルなどのうちの１つまたは複数を含むアプリケーション、および／または処理回路１７０によって実行され、ネットワークノード１６０によって利用されることが可能な他の命令を含む、任意の適切な命令、データ、または情報を格納することができる。デバイス可読媒体１８０は、処理回路１７０によって行われた任意の計算、および／またはインターフェース１９０を介して受信された任意のデータを格納するために使用され得る。いくつかの実施形態では、処理回路１７０およびデバイス可読媒体１８０が集積されていると考えられてもよい。
【００８４】
インターフェース１９０は、ネットワークノード１６０、ネットワーク１０６、および／またはＷＤ１１０間のシグナリングおよび／またはデータの有線または無線通信で使用される。図示のように、インターフェース１９０は、例えば有線接続を介してネットワーク１０６との間でデータを送受信するためのポート／端子１９４を備える。インターフェース１９０はまた、アンテナ１６２の一部に結合され得る、または特定の実施形態では無線フロントエンド回路１９２を含む。無線フロントエンド回路１９２は、フィルタ１９８および増幅器１９６を含む。無線フロントエンド回路１９２は、アンテナ１６２および処理回路１７０に接続されてもよい。無線フロントエンド回路は、アンテナ１６２と処理回路１７０との間で通信される信号を条件付けるように構成されてもよい。無線フロントエンド回路１９２は、無線接続を介して他のネットワークノードまたはＷＤに送出されるデジタルデータを受信することができる。無線フロントエンド回路１９２は、フィルタ１９８および／または増幅器１９６の組合せを使用して、デジタルデータを適切なチャネルおよび帯域幅パラメータを有する無線信号に変換することができる。次いで、無線信号は、アンテナ１６２を介して送信されてもよい。同様に、データを受信する場合、アンテナ１６２は無線信号を収集し、次いで、無線フロントエンド回路１９２によってデジタルデータに変換されてもよい。デジタルデータは、処理回路１７０に渡されてもよい。他の実施形態では、インターフェースが異なる構成要素および／または構成要素の異なる組合せを含むことができる。
【００８５】
特定の代替実施形態では、ネットワークノード１６０は、別個の無線フロントエンド回路１９２を含んでいなくてもよく、代わりに、処理回路１７０は、無線フロントエンド回路を含んでいてもよく、別個の無線フロントエンド回路１９２を伴わずにアンテナ１６２に接続されてもよい。同様に、いくつかの実施形態では、ＲＦトランシーバ回路１７２のすべてまたは一部がインターフェース１９０の一部とみなされてもよい。さらに他の実施形態では、インターフェース１９０は、無線ユニット（図示せず）の一部として、１つまたは複数のポートまたは端子１９４、無線フロントエンド回路１９２、およびＲＦトランシーバ回路１７２を含むことができ、インターフェース１９０はデジタルユニット（図示せず）の一部であるベースバンド処理回路１７４と通信することができる。
【００８６】
アンテナ１６２は、無線信号を送信および／または受信するように構成された１つまたは複数のアンテナ、またはアンテナアレイを含み得る。アンテナ１６２は、無線フロントエンド回路１９０に結合することができ、データおよび／または信号を無線で送受信することができる任意のタイプのアンテナとすることができる。いくつかの実施形態では、アンテナ１６２は、例えば２ＧＨｚと６６ＧＨｚとの間で無線信号を送受信するように動作可能な、１つまたは複数の無指向性、セクタまたはパネルアンテナを含んでもよい。無指向性アンテナは、任意の方向に無線信号を送信／受信するために使用されてもよく、セクタアンテナは特定のエリア内のデバイスから無線信号を送信／受信するために使用されてもよく、パネルアンテナは比較的直線で無線信号を送信／受信するために使用される見通し線（line of sight）アンテナであってもよい。いくつかの例では、２つ以上のアンテナの使用がＭＩＭＯと呼ばれ得る。いくつかの実施形態では、アンテナ１６２がネットワークノード１６０とは別個であってもよく、インターフェースまたはポートを介してネットワークノード１６０に接続可能であってもよい。
【００８７】
アンテナ１６２、インターフェース１９０、および／または処理回路１７０は、ネットワークノードによって実行されるものとして本明細書で説明される任意の受信動作および／または特定の取得動作を実行するように構成され得る。任意の情報、データ、および／または信号は、無線デバイス、別のネットワークノード、および／または任意の他のネットワーク機器から受信され得る。同様に、アンテナ１６２、インターフェース１９０、および／または処理回路１７０は、ネットワークノードによって実行されるものとして、本明細書に記載される任意の送信動作を実行するように構成されてもよい。任意の情報、データ、および／または信号は、無線デバイス、別のネットワークノード、および／または任意の他のネットワーク機器に送信され得る。
【００８８】
電力回路１８７は、電力管理回路を備えてもよく、または電力管理回路に結合されてもよく、本明細書に記載される機能を実行するための電力をネットワークノード１６０の構成要素に供給するように構成される。電力回路１８７は、電源１８６から電力を受け取ってもよい。電源１８６および／または電力回路１８７はそれぞれの構成要素に適した形式でネットワークノード１６０の様々な構成要素に電源を提供するように構成されてもよい（例えば、各構成要素に必要な圧及び現在のレベルで）。電源１８６は、電力回路１８７および／またはネットワークノード１６０に含まれるか、または外部から構成されてもよい。例えば、ネットワークノード１６０は電気ケーブルなどの入力回路またはインタフェースを介して、外部電源（例えば、電気コンセント）に接続可能であってもよく、それによって、外部電源は、電力回路１８７に電力を供給する。さらなる例として、電源１８６は、電力回路１８７に接続される、または集積される、バッテリまたはバッテリパックの形態の電源を含んでもよい。バッテリは、外部電源が故障した場合にバックアップ電力を供給することができる。光起電装置のような他のタイプの電源も使用することができる。
【００８９】
ネットワークノード１６０の代替的な実施形態は、本明細書で説明される機能性のいずれか、および／または本明細書で説明される主題をサポートするために必要な任意の機能性を含む、ネットワークノードの機能性のある態様を提供する責任を負うことができる、図６に示されるものを超える追加の構成要素を含むことができる。例えば、ネットワークノード１６０はネットワークノード１６０への情報の入力を可能にし、ネットワークノード１６０からの情報の出力を可能にするユーザインターフェース装置を含むことができる。これにより、ユーザは、ネットワークノード１６０の診断、保守、修理、および他の管理機能を実行することができる。
【００９０】
本明細書で使用されるように、無線デバイス（ＷＤ）は、ネットワークノードおよび／または他の無線デバイスと無線で通信することができる、構成される、配置される、および／または動作可能なデバイスを指す。特に断らない限り、用語ＷＤは、本明細書ではユーザ装置（ＵＥ）と互換的に使用され得る。無線通信は、電磁波、電波、赤外線、および／またはエアを介して情報を伝達するのに適した他のタイプの信号を使用して、無線信号を送信および／または受信することを伴ってもよい。いくつかの実施形態では、ＷＤは、直接的な人間の対話なしに情報を送信および／または受信するように構成され得る。例えば、ＷＤは、内部イベントまたは外部イベントによってトリガされたとき、またはネットワークからの要求に応答して、所定のスケジュールでネットワークに情報を送信するように設計され得る。ＷＤの例としてはスマートフォン、携帯電話、携帯電話、ＶｏＩＰ（voice over IP）電話、無線ローカルループ電話、デスクトップコンピュータ、パーソナルデジタルアシスタント（ＰＤＡ）、無線カメラ、ゲームコンソールまたはデバイス、音楽記憶装置、再生装置、ウェアラブル端末装置、無線エンドポイント、移動局、タブレット、ラップトップ、ラップトップ埋め込み装置（ＬＥＥ）、ラップトップ搭載装置（ＬＭＥ）、スマートデバイス、無線カスタマープレミス装置（ＣＰＥ）が挙げられるが、これらに限定されない。ＷＤは例えば、サイドランク通信のための３ＧＰＰ標準、車両間（Ｖ２Ｖ）、車両間インフラストラクチャ（Ｖ２Ｉ）、車両間（Ｖ２Ｘ）を実装することによって、デバイスツーデバイス（Ｄ２Ｄ）通信をサポートすることができ、この場合、Ｄ２Ｄ通信デバイスと呼ばれることがある。さらに別の特定の例として、ＩｏＴ（Internet of Things（モノのインターネット））シナリオでは、ＷＤが監視および／または測定を実行し、そのような監視および／または測定の結果を別のＷＤおよび／またはネットワークノードに送信する機械または他のデバイスを表すことができる。この場合、ＷＤはマシンツーマシン（Ｍ２Ｍ）装置であってもよく、３ＧＰＰコンテキストではＭＴＣ装置と呼ばれてもよい。具体例として、ＷＤは３ＧＰＰの狭帯域internet of things（ＮＢ−ＩｏＴ）規格を実行するＵＥかもしれない。そのようなマシン（機械）または装置の特定の例は、センサ、電力計、産業機械などの計量装置、または家庭用もしくは個人用機器（例えば、冷蔵庫、テレビなど）、個人用ウェアラブル（例えば、時計、フィットネストラッカなど）である。他のシナリオでは、ＷＤは、その動作状態またはその動作に関連する他の機能を監視および／または報告することができる車両または他の機器を表すことができる。上述のＷＤは、無線接続のエンドポイントを表すことができ、この場合、装置は、無線端末と呼ばれることができる。さらに、上述したようなＷＤは、モバイルであってもよく、その場合、モバイルデバイスまたはモバイル端末とも呼ばれてもよい。
【００９１】
図示のように、無線デバイス１１０は、アンテナ１１１、インタフェース１１４、処理回路１２０、デバイス可読媒体１３０、ユーザインターフェース機器、補助装置１３４、電源１３６、および電力回路１３７を含む。ＷＤ１１０はほんの数例を挙げると、たとえば、ＧＳＭ、ＷＣＤＭＡ、ＬＴＥ、ＮＲ、ＷｉＦｉ、ＷｉＭＡＸ、またはＢｌｕｅｔｏｏｔｈ無線技術、ＷＤ１１０によってサポートされる異なる無線技術のための例示された構成要素のうちの１つまたは複数の複数のセットを含むことができる。これらの無線技術は、ＷＤ１１０内の他の構成要素と同じまたは異なるチップまたはチップの設定に統合され得る。
【００９２】
アンテナ１１１は、無線信号を送信および／または受信するように構成された１つまたは複数のアンテナまたはアンテナアレイを含むことができ、インターフェース１１４に接続される。特定の代替実施形態では、アンテナ１１１がＷＤ１１０とは別個であってもよく、インターフェースまたはポートを介してＷＤ１１０に接続可能であってもよい。アンテナ１１１、インターフェース１１４、および／または処理回路１２０は、ＷＤによって実行されるものとして、本明細書に記載される任意の受信または送信動作を実行するように構成されてもよい。任意の情報、データ、および／または信号が、ネットワークノードおよび／または別のＷＤから受信され得る。いくつかの実施形態では、無線フロントエンド回路および／またはアンテナ１１１がインターフェースとみなされてもよい。
【００９３】
図示されるように、インターフェース１１４は、無線フロントエンド回路１１２およびアンテナ１１１を備える。無線フロントエンド回路１１２は、１つまたは複数のフィルタ１１８および増幅器１１６を備える。無線フロントエンド回路１１４は、アンテナ１１１および処理回路１２０に接続され、アンテナ１１１と処理回路１２０との間で通信される信号を調整するように構成される。無線フロントエンド回路１１２は、アンテナ１１１に結合されてもよく、またはその一部であってもよい。一部の実施形態では、ＷＤ１１０は、別個の無線フロントエンド回路１１２を含まなくてもよく、むしろ、処理回路１２０は無線フロントエンド回路を含んでもよく、アンテナ１１１に接続されてもよい。同様に、いくつかの実施形態では、ＲＦトランシーバ回路１２２の一部または全部がインターフェース１１４の一部とみなされてもよい。無線フロントエンド回路１１２は、無線接続を介して他のネットワークノードまたはＷＤに送出されるデジタルデータを受信することができる。無線フロントエンド回路１１２は、フィルタ１１８および／または増幅器１１６の組合せを使用して、デジタルデータを適切なチャネルおよび帯域幅パラメータを有する無線信号に変換することができる。次いで、無線信号は、アンテナ１１１を介して送信されてもよい。同様に、データを受信する場合、アンテナ１１１は無線信号を収集し、次いで、無線フロントエンド回路１１２によってデジタルデータに変換されてもよい。デジタルデータは、処理回路１２０に渡されてもよい。他の実施形態では、インターフェースが異なる構成要素および／または構成要素の異なる組合せを含むことができる。
【００９４】
処理回路１２０は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソース、またはハードウェア、ソフトウェア、および／または符号化ロジックの組合せのうちの１つまたは複数の組合せを備えることができ、これらは、単独で、またはデバイス可読媒体１３０、ＷＤ１１０機能などの他のＷＤ１１０構成要素と併せてのいずれかで提供するように動作可能である。そのような機能は、本明細書で説明される各種無線特徴または利点のいずれかを提供することを含むことができる。例えば、処理回路１２０は本明細書で開示される機能を提供するために、デバイス可読媒体１３０または処理回路１２０内のメモリに格納された命令を実行することができる。
【００９５】
図示されるように、処理回路１２０は、ＲＦトランシーバ回路１２２、ベースバンド処理回路１２４、およびアプリケーション処理回路１２６のうちの１つ以上を含む。他の実施形態では、処理回路が異なる構成要素および／または構成要素の異なる組み合わせを含むことができる。特定の実施形態では、ＷＤ１１０の処理回路１２０がＳＯＣを備えることができる。いくつかの実施形態ではＲＦトランシーバ回路１２２、ベースバンド処理回路１２４、およびアプリケーション処理回路１２６は別個のチップまたはチップセット上にあってもよい。代替実施形態では、ベースバンド処理回路１２４およびアプリケーション処理回路１２６の一部または全部が１つのチップまたはチップの設定に組み合わされてもよく、ＲＦトランシーバ回路１２２は別個のチップまたはチップの設定上にあってもよい。さらに代替の実施形態ではＲＦトランシーバ回路１２２およびベースバンド処理回路１２４の一部または全部が同一チップまたはチップセット上にあってもよく、アプリケーション処理回路１２６は別個のチップまたはチップセット上にあってもよい。さらに他の代替実施形態では、ＲＦトランシーバ回路１２２、ベースバンド処理回路１２４、およびアプリケーション処理回路１２６の一部または全部が同一チップまたは一組のチップ内で組み合わされてもよい。いくつかの実施形態では、ＲＦトランシーバ回路１２２がインターフェース１１４の一部であってもよい。ＲＦトランシーバ回路１２２は、処理回路１２０のためのＲＦ信号を調整してもよい（条件付けてもよい）。
【００９６】
特定の実施形態では、ＷＤによって実行されるものとして本明細書で説明される機能の一部またはすべては特定の実施形態ではコンピュータ可読記憶媒体とすることができるデバイス可読媒体１３０上に記憶された命令を実行する処理回路１２０によって提供することができる。代替の実施形態では、機能のいくつかまたはすべてはハードワイヤード方式などで、別個のまたは個別のデバイス可読記憶媒体上に記憶された命令を実行することなく、処理回路１２０によって提供され得る。これらの特定の実施形態のいずれにおいても、デバイス可読記憶媒体上に記憶された命令を実行するか否かにかかわらず、処理回路１２０は、説明された機能を実行するように構成され得る。そのような機能性によって提供される利点は、処理回路１２０単独またはＷＤ１１０の他の構成要素に限定されず、ＷＤ１１０全体によって、および／またはエンドユーザおよび無線ネットワーク全体によって享受される。
【００９７】
処理回路１２０は、ＷＤによって実行されるものとして本明細書で説明される任意の決定、計算、または類似の動作（例えば、ある取得動作）を実行するように構成され得る。これらの動作は、処理回路１２０によって実行されるように、例えば、取得された情報を他の情報に変換すること、取得された情報または変換された情報をＷＤ１１０によって記憶された情報と比較すること、および／または取得された情報または変換された情報に基づいて１つまたは複数の動作を実行すること、および前記処理の結果として決定を行うことによって、処理回路１２０によって取得された情報を処理することを含み得る。
【００９８】
デバイス可読媒体１３０は、コンピュータプログラム、ソフトウェア、ロジック、ルール、コード、表などのうちの１つまたは複数を含むアプリケーション、および／または処理回路１２０によって実行されることが可能な他の命令を格納するように動作可能であり得る。デバイス可読可能媒体１３０はコンピュータメモリ（例えば、ランダムアクセスメモリ（ＲＡＭ）または可読専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、および／または処理回路１２０によって使用され得る情報、データ、および／または命令を記憶する任意の他の揮発性または不揮発性、一時的でないデバイス可読可能および／またはコンピュータ実行可能メモリデバイスを含み得る。いくつかの実施形態では、処理回路１２０およびデバイス読み取り可能媒体１３０が集積されていると考えられてもよい。
【００９９】
ユーザインターフェース機器１３２は、人間のユーザがＷＤ１１０と対話することを可能にする構成要素を提供することができる。このような相互作用は、視覚的、聴覚的、触覚的などの多くの形態であり得る。ユーザインターフェース機器１３２はユーザに出力を生成し、ユーザがＷＤ１１０に入力を提供することを可能にするように動作可能であり得る。対話のタイプは、ＷＤ１１０にインストールされたユーザインターフェース機器１３２のタイプに応じて変わり得る。例えば、ＷＤ１１０がスマートフォンである場合、相互作用はタッチスクリーンを介して行われてもよく、ＷＤ１１０がスマートメータである場合、相互作用は使用量（例えば、使用されるガロン数）を提供するスクリーン、または可聴警報（例えば、煙が検出される場合）を提供するスピーカを介して行われてもよい。ユーザインターフェース機器１３２は、入力インターフェース、装置及び回路、ならびに出力インターフェース、装置及び回路を含み得る。ユーザインターフェース機器１３２は、ＷＤ１１０への情報の入力を可能にするように構成され、処理回路１２０に接続されて、処理回路１２０が入力情報を処理することを可能にする。ユーザインターフェース機器１３２は例えば、マイクロフォン、近接または他のセンサ、キー／ボタン、タッチディスプレイ、１つまたは複数のカメラ、ＵＳＢポート、または他の入力回路を含むことができる。ユーザインターフェース機器１３２はまた、ＷＤ１１０からの情報の出力を可能にし、処理回路１２０がＷＤ１１０から情報を出力することを可能にするように構成される。ユーザインターフェース機器１３２は例えば、スピーカ、ディスプレイ、振動回路、ＵＳＢポート、ヘッドホンインターフェース、または他の出力回路を含み得る。ユーザインターフェース機器１３２の１つまたは複数の入出力インターフェース、デバイス、および回路を使用して、ＷＤ１１０はエンドユーザおよび／または無線ネットワークと通信することができ、本明細書で説明する機能性からの利益をエンドユーザおよび／または無線ネットワークに与えることができる。 
【０１００】
補助装置１３４は、ＷＤによって一般に実行されない可能性があるより具体的な機能を提供するように動作可能である。これは、様々な目的のために測定を行うための専用センサ、有線通信などの追加のタイプの通信のためのインターフェースを含むことができる。補助装置１３４の構成要素の含有及び種類は、実施例および／またはシナリオに応じて変わり得る。
【０１０１】
電源１３６は、一部の実施形態ではバッテリまたはバッテリパックの形態であってもよい。外部電源（例えば、電気コンセント）、光起電力デバイス、またはパワーセルなどの他のタイプの電源も使用することができる。ＷＤ１１０はさらに、電源１３６からの電力を、電源１３６からの電力を必要とするＷＤ１１０の様々な部分に送り、本明細書に記載または示される任意の機能を実行するための電力回路１３７を含んでもよい。電力回路１３７は、特定の実施形態では電力管理回路を備えてもよい。電力回路１３７は追加的または代替的に、外部電源から電力を受け取るように動作可能であってもよく、その場合、ＷＤ１１０は、入力回路または電力ケーブルなどのインターフェースを介して、外部電源（電気コンセントなど）に接続可能であってもよい。また、特定の実施形態において、電力回路１３７は、外部電源から電源１３６に電力を送達するように動作可能であってもよい。これは、例えば、電源１３６の充電のためであってもよい。電力回路１３７は電力が供給されるＷＤ１１０のそれぞれの構成要素に適した電力にするために、電源１３６からの電力に対して、任意のフォーマット、変換、または他の修正を実行することができる。
【０１０２】
図７は、本明細書で説明される様々な態様によるＵＥの一実施形態を示す。本明細書で使用されるように、ユーザ装置またはＵＥは必ずしも、関連するデバイスを所有し、および／または操作する人間のユーザという意味でユーザを有するとは限らない。代わりに、ＵＥは人間のユーザへの販売または人間のユーザによる操作が意図されているが、最初は特定の人間のユーザ（例えば、スマートスプリンクラコントローラ）に関連付けられていてもいなくてもよく、または関連付けられていなくてもよいデバイスを表してもよい。あるいはＵＥがエンドユーザへの販売またはエンドユーザによる操作を意図されていないが、ユーザ（例えば、スマート電力メータ）のために関連付けられるか、または操作され得るデバイスを表し得る。ＵＥ２２００は、ＮＢ−ＩｏＴ ＵＥ、マシンタイプ通信(ＭＴＣ)ＵＥ、および／または強化ＭＴＣ(ｅＭＴＣ)ＵＥを含む、第３世代パートナーシッププロジェクト（３ＧＰＰ）によって特定される任意のＵＥであってもよい。ＵＥ２００は図７に例示されているように、３ＧＰＰのＧＳＭ、ＵＭＴＳ、ＬＴＥ、および／または５Ｇ標準規格のような、３rd生成パートナーシッププロジェクト（３ＧＰＰ）によって公布された１つ以上の通信標準規格に従って通信するように設定されたＷＤの一例である。前述のように、用語ＷＤおよびＵＥは、交換可能に使用され得る。したがって、図７はＵＥであるが、本明細書で説明される構成要素はＷＤに等しく適用可能であり、その逆もまた同様である。
【０１０３】
図７では、ＵＥ２００が入力／出力インターフェース２０５、無線周波数（ＲＦ）インターフェース２０９、ネットワーク接続インターフェース２１１、ランダムアクセスメモリ（ＲＡＭ）２１７を含むメモリ２１５、読み出し専用メモリ（ＲＯＭ）２１９、および記憶媒体２２１など、通信サブシステム２３１、電源２３３、および／または任意の他の構成要素、またはそれらの任意の組合せに動作可能に結合された処理回路２０１を含む。記憶媒体２２１は、オペレーティングシステム２２３、アプリケーションプログラム２２５、およびデータ２２７を含む。他の実施形態では、記憶媒体２２１が他の同様のタイプの情報を含むことができる。いくつかのＵＥは、図７に示される構成要素のすべて、または構成要素のサブセットのみを利用し得る。構成要素間の統合のレベルは、１つのＵＥから別のＵＥへと変化し得る。さらに、いくつかのＵＥは、複数のプロセッサ、メモリ、トランシーバ、送信機、受信機など、構成要素の複数のインスタンスを含み得る。
【０１０４】
図７では、処理回路２０１がコンピュータ命令およびデータを処理するように構成されてもよい。処理回路２０１は１つまたは複数のハードウェア実装状態機械（例えば、個別論理、ＦＰＧＡ、ＡＳＩＣなど）、適切なファームウェアとともにプログラマブル論理、１つまたは複数の格納プログラム、マイクロプロセッサまたはデジタルシグナルプロセッサ（ＤＳＰ）などの汎用プロセッサ、ならびに適切なソフトウェア、または上記の任意の組合せなど、機械可読コンピュータプログラムとしてメモリに格納された機械命令を実行するように動作可能な任意の順次状態機械を実装するように構成され得る。例えば、処理回路２０１は、２つの中央処理装置（ＣＰＵ）を含むことができる。データは、コンピュータによる使用に適した形式の情報であってもよい。
【０１０５】
図示された実施形態では、入力／出力インターフェース２０５が入力デバイス、出力装置、または入力および出力装置への通信インターフェースを提供するように構成され得る。ＵＥ２００は、入力／出力インターフェース２０５を介して出力デバイスを使用するように構成され得る。出力デバイスは、入力デバイスと同じタイプのインタフェースポートを使用することができる。例えば、ＵＳＢポートを使用して、ＵＥ２００との間で入力および出力を行うことができる。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであり得る。ＵＥ２００はユーザがＵＥ２００に情報をキャプチャすることを可能にするために、入力／出力インターフェース２０５を介して入力デバイスを使用するように構成され得る。入力デバイスはタッチセンシティブまたはプレゼンスセンシティブディスプレイ、カメラ（例えば、デジタルカメラ、デジタルビデオカメラ、ウェブカメラなど）、マイクロフォン、センサ、マウス、トラックボール、方向パッド、トラックパッド、スクロールホイール、スマートカードなどを含むことができる。プレゼンスセンシティブディスプレイは、ユーザからの入力を感知するための容量性または抵抗性タッチセンサを含むことができる。センサは例えば、加速度計、ジャイロスコープ、傾斜センサ、力センサ、磁力計、光学センサ、近接センサ、別の同様のセンサ、またはそれらの任意の組合せとすることができる。例えば、入力装置は、加速度計、磁力計、デジタルカメラ、マイクロフォン、および光センサであってもよい。
【０１０６】
図７では、ＲＦインタフェース２０９が送信機、受信機、およびアンテナなどのＲＦ構成要素に通信インターフェースを提供するように構成されてもよい。ネットワーク接続インターフェース２１１は、ネットワーク２４３ａへの通信インターフェースを提供するように構成され得る。ネットワーク２４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せなどの有線および／または無線ネットワークを含むことができる。例えば、ネットワーク２４３ａは、Ｗｉ-Ｆｉネットワークを構成することができる。ネットワーク接続インターフェース２１１は、イーサネット（登録商標）、ＴＣＰ/ＩＰ、ＳＯＮＥＴ、ＡＴＭなどの１つまたは複数の通信プロトコルに従って、通信ネットワークを介して１つまたは複数の他のデバイスと通信するために使用される受信機および送信機インターフェースを含むように構成され得る。ネットワーク接続インターフェース２１１は通信ネットワークリンク（例えば、光、電気など）に適切な受信機および送信機機能を実装し得る。送信機機能および受信機機能は回路構成要素、ソフトウェア、またはファームウェアを共有することができ、あるいは、別々に実装することができる。
【０１０７】
ＲＡＭ２１７はオペレーティングシステム、アプリケーションプログラム、およびデバイスドライバなどのソフトウェアプログラムの実行中にデータまたはコンピュータ命令の記憶またはキャッシュを提供するために、バス２０２を介して処理回路２０１にインターフェースするように構成することができる。ＲＯＭ ２１９は、コンピュータ命令またはデータを処理回路２０１に提供するように構成することができる。例えば、ＲＯＭ ２１９は、不揮発性メモリに記憶されたキーボードからの基本的な入出力、スタートアップ、またはキーストロークの受信のような基本的なシステム機能のための不変な低レベルのシステムコードまたはデータを記憶するように構成されてもよい。記憶媒体２２１は、ＲＡＭ、ＲＯＭ、フィールドプログラマブルゲートアレイ読出し専用メモリ、消去可能フィールドプログラマブルゲートアレイ読出し専用メモリ、電気的消去可能フィールドプログラマブルゲートアレイ読出し専用メモリ、磁気ディスク、光ディスク、フロッピーディスク、ハードディスク、リムーバブルカートリッジ、またはフラッシュドライブなどのメモリを含むように構成することができる。一例では、記憶媒体２２１がオペレーティングシステム２２３、ウェブブラウザ・アプリケーション、ウィジェットまたはガジェット・エンジンまたは別のアプリケーションなどのアプリケーション・プログラム２２５、およびデータ・ファイル２２７を含むように構成することができる。記憶媒体２２１はＵＥ２００によって使用するために、様々なオペレーティングシステムのうちの任意のもの、またはオペレーティングシステムの組合せを記憶することができる。
【０１０８】
記憶媒体２２１は、独立ディスクの冗長アレイ（ＲＡＩＤ）、フロッピー（登録商標）ディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ ＳＤＲＡＭ、加入者識別モジュールまたは取り外し可能ユーザ識別（ＳＩＭ/ＲＵＩＭ）モジュールなどのスマートカードメモリ、他のメモリ、またはそれらの任意の組合せなど、複数の物理駆動部含むように構成され得る。記憶媒体２２１はＵＥ２００が一時的または非一時的記憶媒体に記憶されたコンピュータ実行可能命令、アプリケーションプログラム等にアクセスし、データをオフロードし、またはデータをアップロードすることを可能にし得る。通信システムを利用するものなどの製造品は、デバイス可読媒体を備えることができる記憶媒体２２１内に有形に具現化することができる。
【０１０９】
図７では、処理回路２０１が通信サブシステム２３１を使用してネットワーク２４３ｂと通信するように構成されてもよい。ネットワーク２４３ａおよびネットワーク２４３ｂは同じネットワークであってもよいし、異なるネットワークであってもよい。通信サブシステム２３１は、ネットワーク２４３ｂと通信するために使用される１つ以上のトランシーバを含むように構成することができる。例えば、通信サブシステム２３１は、ＩＥＥＥ ８０２．２、ＣＤＭＡ、ＷＣＤＭＡ、ＧＳＭ、ＬＴＥ、ＵＴＲＡＮ、ＷｉＭａｘなどの１つ以上の通信プロトコルに従って、無線アクセスネットワーク（ＲＡＮ）の別のＷＤ、ＵＥ、または基地局などの無線通信が可能な別の装置の１つ以上のリモートトランシーバと通信するために使用される１つ以上のトランシーバを含むように構成することができる。各トランシーバはＲＡＮリンク（例えば、周波数割り当てなど）に適切な送信機または受信機機能をそれぞれ実装するために、送信機２３３および／または受信機２３５を含んでもよい。さらに、各トランシーバの送信機２３３および受信機２３５は回路構成要素、ソフトウェア、またはファームウェアを共有してもよく、あるいは別々に実装されてもよい。
【０１１０】
図示の実施形態では、通信サブシステム２３１の通信機能がデータ通信、音声通信、マルチメディア通信、Ｂｌｕｅｔｏｏｔｈなどの短距離通信、近距離通信、位置を決定するための全地球測位システム（ＧＰＳ）の使用などの位置ベース通信、別の同様の通信機能、またはそれらの任意の組合せを含むことができる。例えば、通信サブシステム２３１は、セルラー通信、Ｗｉ−Ｆｉ通信、Ｂｌｕｅｔｏｏｔｈ通信、およびＧＰＳ通信を含むことができる。ネットワーク２４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せなどの有線および／または無線ネットワークを含むことができる。例えば、ネットワーク２４３ｂは、セルラーネットワーク、Ｗｉ-Ｆｉネットワーク、および／または近距離無線ネットワークであってもよい。電源２１３は、ＵＥ２００の構成要素に交流（ＡＣ）又は直流（ＤＣ）電力を供給するように構成することができる。
【０１１１】
本明細書で説明される特徴、利点、および／または機能は、ＵＥ２００のコンポーネントのうちの１つにおいて実装され得るか、またはＵＥ２００の複数の構成要素にわたって区分され得る。さらに、本明細書で説明される特徴、利点、および／または機能は、ハードウェア、ソフトウェア、またはファームウェアの任意の組合せで実装され得る。一例では、通信サブシステム２３１が本明細書で説明される構成要素のいずれかを含むように構成され得る。さらに、処理回路２０１は、バス２０２を介してそのような構成要素のいずれかと通信するように構成されてもよい。別の例では、そのような構成要素のいずれも、処理回路２０１によって実行されるときに本明細書で説明される対応する機能を実行する、メモリに格納されたプログラム命令によって表され得る。別の実施例では、そのような構成要素のいずれかの機能が処理回路２０１と通信サブシステム２３１との間で区分され得る。別の例ではそのような構成要素のいずれかの計算集約的でない機能がソフトウェアまたはファームウェアで実装されてもよく、計算集約的な機能はハードウェアで実装されてもよい。
【０１１２】
［付録Ａ］
以下ではＮＲリソース割り当て設計問題、より具体的には時間領域リソース割り当てに関連するさらなる例示的な実施形態について説明する。
時間割り当て
３ＧＰＰ ＲＡＮ＃１９０ｂｉｓ会議において、以下のことが合意された: 
合意:
・スロットおよびミニスロットの両方について、スケジューリングＤＣＩは、ＰＤＳＣＨ(またはＰＵＳＣＨ）送信に使用されるＯＦＤＭシンボルを与えるＵＥ特定テーブルへのインデックスを提供することができる
〇 割り当ての開始ＯＦＤＭシンボルとＯＦＤＭシンボルにおける長さ
〇 さらなる研究（ＦＦＳ）:１つ以上の表
〇 ＦＦＳ:マルチスロット/マルチミニスロットスケジューリングの場合に使用されるスロット、またはクロススロットスケジューリングのためのスロットインデックスを含む
〇 ＦＦＳ: ＳＦＩが非連続的な割り当てをサポートしている場合は、再訪する必要があるかもしれない 
・少なくともＲＭＳＩスケジューリングの場合
〇 規格では、少なくとも１つのテーブルエントリを固定する必要がある
１つ以上の表を指定するかどうかについては、複数の表の方がスケジューリングの柔軟性が高いと考えられる。ただし、ＤＣＩ メッセージサイズを制限してテーブルを選択するために、テーブルの数を２つに制限することができる。２つのテーブル内のテーブルエントリは、開始ＯＦＤＭシンボルおよび／または期間（継続時間）において異なり得る。テーブルの選択は、タイプＡスケジューリングが使用されるか、タイプＢスケジューリングが使用されるか、またはスロットベースの送信がスケジュールされるか、ミニスロットベースの送信がスケジュールされるかをシグナリングするフィールドなど、ＤＣＩメッセージ内の他のフィールドに基づくことができる。
【０１１３】
提案（Proposal）３-１: 時間領域リソース割り当てにより柔軟性を与えるために、２つのテーブルが、ＯＦＤＭシンボルにおける異なる開始ＯＦＤＭシンボルおよび期間（持続時間）で指定される。
ＮＲの場合、データ送信はスロット内のすべてのＯＦＤＭシンボルを（ほとんど）占有することができ、またはミニスロット送信の場合、それらのうちのいくつかのみを占有することができる。これらの可能性は、ＰＵＳＣＨおよびＰＤＳＣＨの開始位置および終了位置に関する情報をＤＣＩに含めることによって、統一された方法で処理することができる。ＤＣＩオーバーヘッドを制限すると同時に、ある程度の柔軟性を提供するために、１つの可能性は例えば、開始位置と終了位置との異なる組合せを指すＤＣＩ内に３ビットを有することである。 
組合せは、グループ共通のＰＤＣＣＨ(例えば、［１］に示された組合せ）におけるＳＦＩ(スロットフォーマットインジケータ）によって与えられるＯＦＤＭシンボル位置と合わせるべきである。ＤＬの場合、開始位置および終了位置の基準は、対応するＤＣＩを搬送するＰＤＣＣＨの第１のＯＦＤＭシンボルに関するものでなければならない。いくつかの開始位置は、ＰＤＣＣＨ ｃｏｒｅｓｅｔが構成されるシンボルの前にＰＤＳＣＨが開始する場合に適応するための−ｖｅ値であってもよい。ＵＥバッファリング要件を制限するために、制限された−ｖｅ値のみが許可されるべきである（例えば、−２、−１のみ）。 
また、スロット集約（アグリゲーション）／繰り返しの場合、データが複数のスロットにまたがることもある。スロット集約を扱うために、ＵＥは送信が繰り返されるスロットで同じ時間リソース割り当てを仮定する。
【０１１４】
提案 ３-２: スロット集約／繰り返しが適用される場合、ＵＥは送信が繰り返されるスロットで同じ時間リソース割り当てを想定する。 
ＤＣＩメッセージにおいてより効率的にするために、ＤＣＩがどのＣＯＲＥＳＥＴから送信されるかに応じて、ＤＣＩメッセージ内のビットフィールドを作成することが可能である。これは、ＰＤＳＣＨおよびＰＵＳＣＨの開始および停止ＯＦＤＭ シンボルの構成のより適切なオプションを可能にするためである。
【０１１５】
提案 ３-３: スロット内の開始ＯＦＤＭシンボル及び終了ＯＦＤＭシンボルを示すＤＣＩメッセージ内のビットフィールドは、ＣＯＲＥＳＥＴ毎に別々に構成される  
さらに、場合によっては、ＵＬおよびＤＬの場合、ＰＵＳＣＨまたはＰＤＳＣＨの伝送がどのスロットで行われるべきかを定義する必要がある。このような情報は別個のビットフィールドであってもよいし、開始位置および終了位置と一緒に符号化されてもよい。しかしながら、ここでは、かなり長い期間のＵＬスロットをサポートできるようにするためにはこれらの場合をサポートするために約４ビットが必要であることに留意されたい。同様の必要性はＤＬの場合、各ＤＬスロットにＤＣＩメッセージを提供することができるため、ＤＬの場合、情報をスロット内の位置情報と結合してコーディングしたり、単一ビットを導入して次の先行スロットにおけるスケジューリングを示すことができる。
【０１１６】
提案 ３−４
・ＰＵＳＣＨ送信の場合、ＰＵＳＣＨがどのＵＬスロット内で送信されるかを示すために、４ビットまでのビットフィールドがＤＣＩメッセージに導入される
・ＰＤＳＣＨの場合、ＰＤＳＣＨが送信されるＤＬスロットの指示は、スロット内の位置情報と結合符号化されるか、または次の先行するスロットにおけるスケジューリングを指示するために単一ビットが導入され得る。
【０１１７】
［付録Ｂ］
ここで、図８〜図１４を参照して、本明細書で企図されるいくつかの追加の実施形態をより完全に説明する。図８は、いくつかの実施形態によって実装される機能を仮想化することができる仮想化環境３００を示す概略ブロック図である。本文脈では、仮想化手段が仮想化ハードウエアプラットフォーム、記憶装置、およびネットワーキングリソースを含むことができる装置またはデバイスの仮想バージョンを作成する。本明細書で使用されるように、仮想化はノード（例えば、仮想化された基地局または仮想化された無線アクセスノード）またはデバイス（例えば、ＵＥ、無線デバイス、または任意の他のタイプの通信デバイス）またはそれらの構成要素に適用されることができ、機能の少なくとも一部が１つまたは複数の仮想構成要素として（例えば、１つまたは複数のネットワーク内の１つまたは複数の物理処理ノード上で実行される１つまたは複数のアプリケーション、構成要素、機能、仮想マシン、またはコンテナを介して）実装される実装形態に関係する。
【０１１８】
いくつかの実施形態において、本明細書に記載する機能の一部または全部は、１つ以上のハードウェアノード３３０によってホストされる１つ以上の仮想環境３００内に実装される１つ以上の仮想マシンによって実行される仮想構成要素として実装することができる。さらに、仮想ノードが無線アクセスノードでないか、または無線接続性を必要としない実施形態（例えば、コアネットワークノード）では、ネットワークノードを完全に仮想化することができる。
【０１１９】
機能は、本明細書で開示される実施形態のいくつかの特徴、機能、および／または利益のいくつかを実装するように動作する１つまたは複数のアプリケーション３２０（代替として、ソフトウェアインスタンス、仮想アプライアンス、ネットワーク機能、仮想ノード、仮想ネットワーク機能などと呼ばれ得る）によって実装され得る。アプリケーション３２０は、処理回路３６０およびメモリ３９０を備えるハードウェア３３０を提供する仮想化環境３００において実行される。メモリ３９０は処理回路３６０によって実行可能な命令３９５を含み、それによって、アプリケーション３２０は、本明細書で開示される特徴、利点、および／または機能のうちの１つまたは複数を提供するように動作可能である。
【０１２０】
仮想化環境３００は市販の既製（ＣＯＴＳ）プロセッサ、専用特定用途向け集積回路（ＡＳＩＣ）、またはデジタルもしくはアナログハードウェア構成要素もしくは専用プロセッサを含む任意の他のタイプの処理回路であってもよい、１つまたは複数のプロセッサまたは処理回路３６０の設定を備える汎用または専用ネットワークハードウェアデバイス３３０を備える。各ハードウェアデバイスは、処理回路３６０によって実行される命令３９５またはソフトウェアを一時的に格納するための非永続的メモリであり得るメモリ３９０−１を備え得る。各ハードウェア装置は、物理ネットワークインターフェース３８０を含む、ネットワークインタフェースカードとも呼ばれる、１つ以上のネットワークインターフェースコントローラ３７０を含むことができる。各ハードウェアデバイスはまた、ソフトウェア３９５および／または処理回路３６０によって実行可能な命令を格納した、非一時的な、永続的な、機械可読記憶媒体３９０−２を含むことができる。ソフトウェア３９５は、１つまたは複数の仮想化レイヤ３５０（ハイパーバイザとも呼ばれる）をインスタンス化するためのソフトウェア、仮想マシン３４０を実行するためのソフトウェア、ならびに本明細書で説明されるいくつかの実施形態に関連して説明される機能、特徴、および／または利益を実行することを可能にするソフトウェアを含む、任意のタイプのソフトウェアを含むことができる。
【０１２１】
仮想マシン３４０は仮想処理、仮想メモリ、仮想ネットワークワーキングまたはインターフェースおよび仮想ストレージを含み、対応する仮想化レイヤ３５０またはハイパーバイザによって実行されてもよい。仮想アプライアンス３２０のインスタンスの異なる実施形態は１つまたは複数の仮想マシン３４０上で実装されてもよく、実装は異なる方法で行われてもよい。 
【０１２２】
動作中、処理回路３６０は、仮想マシンモニタ（ＶＭＭ）と呼ばれることもあるハイパーバイザまたは仮想化レイヤ３５０をインスタンス化するためにソフトウェア３９５を実行する。仮想化レイヤ３５０は、ネットワークハードウェアのように見える仮想オペレーティングプラットフォームを仮想マシン３４０に提示することができる。
【０１２３】
図８に示すように、ハードウェア３３０は、一般的または特定のコンポーネントを有するスタンドアロンネットワークノードであってもよい。ハードウェア３３０はアンテナ３２２５を備えることができ、仮想化を介していくつかの機能を実装することができる。あるいは、ハードウェア３３０が多くのハードウェアノードが協働し、特にアプリケーション３２０のライフサイクル管理を監督する管理およびオーケストレーション（ＭＡＮＯ）３１００を介して管理される、より大きなハードウェアクラスタの一部であってもよい（例えば、データセンターまたは顧客構内機器（ＣＰＥ）内など）。
【０１２４】
ハードウェアの仮想化は、いくつかの状況ではネットワーク機能仮想化（ＮＦＶ）と呼ばれる。ＮＦＶは、多くのネットワーク機器タイプを、業界標準の大容量サーバハードウェア、物理スイッチ、およびデータセンタ内に配置することができる物理ストレージ、ならびに顧客構内機器に統合するために使用することができる。
【０１２５】
ＮＦＶの文脈では、仮想マシン３４０があたかも物理的な仮想化されていないマシン上で実行されているかのようにプログラムを実行する物理マシンのソフトウェア実装であってもよい。仮想マシン３４０の各々、およびその仮想マシンを実行するハードウェア３３０のその部分はその仮想マシン専用のハードウェアであり、および／または、その仮想マシンによって仮想マシン３４０の他のものと共有されるハードウェアであり、別個の仮想ネットワーク要素（ＶＮＥ）を形成する。
【０１２６】
なお、ＮＦＶの文脈では、仮想ネットワーク機能（ＶＮＦ）がハードウェアネットワークインフラストラクチャ３３０上の１つ以上の仮想マシン３４０で実行され、図８のアプリケーション３２０に対応する特定のネットワーク機能を処理する責任がある。
【０１２７】
いくつかの実施形態では、それぞれが１つまたは複数の送信機３２２０および１つまたは複数の受信機３２１０を含む１つまたは複数の無線ユニット３２００が１つまたは複数のアンテナ３２２５に結合され得る。無線装置３２００は１つ以上の適切なネットワークインターフェースを介してハードウェアノード３３０と直接通信することができ、仮想構成要素と組み合わせて使用して、無線アクセスノードまたは基地局などの無線機能を仮想ノードに提供することができる。
【０１２８】
いくつかの実施形態では、いくつかの信号がハードウェアノード３３０と無線ユニット３２００との間の通信のために代替的に使用され得る制御システム３２３０を使用して実施され得る。
【０１２９】
図９を参照すると、一実施形態によれば、通信システムは、無線アクセスネットワークなどのアクセスネットワーク４１１と、コアネットワーク４１４とを備える、３ＧＰＰタイプのセルラネットワークなどの電気通信ネットワーク４１０を含む。アクセスネットワーク４１１はＮＢ、ｅＮＢ、ｇＮＢ、または他のタイプの無線アクセスポイントなどの複数の基地局４１２ａ、４１２ｂ、４１２ｃを備え、それぞれは対応するカバレッジエリア４１３ａ、４１３ｂ、４１３ｃを定義する。各基地局４１２ａ、４１２ｂ、４１２ｃは、有線または無線接続４１５を介してコアネットワーク４１４に接続可能である。カバレッジエリア４１３ｃに位置する最初のＵＥ４９１は、対応する基地局４１２ｃと無線で接続されるか、またはポケットベルされるように構成されている。カバレッジエリア４１３ａ内の第２のＵＥ４９２は、対応する基地局４１２ａに無線で接続可能である。本例では複数のＵＥ４９１、４９２が図示されているが、開示された実施形態は単独のＵＥがカバレッジエリア内にある状況、または単独のＵＥが対応する基地局４１２に接続している状況に等しく適用可能である。
【０１３０】
電気通信ネットワーク４１０はそれ自体、ホストコンピュータ４３０に接続されており、それは、スタンドアローンサーバー、クラウド実行サーバー、分散サーバー、またはサーバーファームにおける処理リソースのハードウェアおよび／またはソフトウェアに具体化され得る。ホストコンピュータ４３０はサービスプロバイダの所有権または制御下にあってもよいし、サービスプロバイダによって、またはサービスプロバイダの代わりに操作されてもよい。電気通信ネットワーク４１０とホストコンピュータ４３０との間の接続４２１および４２２は、コアネットワーク４１４からホストコンピュータ４３０まで直接延びてもよく、あるいは任意の中間ネットワーク４２０を介して延びてもよい。中間ネットワーク４２０はパブリック、私設またはホストされたネットワークのうちの１つまたはそれ以上の組合せであってもよい。中間ネットワーク４２０はもしあれば、バックボーンネットワークまたはインターネットであってもよい。特に、中間ネットワーク４２０は、２つ以上のサブネットワーク（図示せず）を含んでもよい。
【０１３１】
図９の通信システム全体は、コネクティビティされたＵＥ４９１、４９２とホストコンピュータ４３０との間のコネクティビティを可能にする。接続性は、オーバー・ザ・トップ（ＯＴＴ）接続４５０として説明することができる。ホストコンピュータ４３０および接続されたＵＥ４９１、４９２は、アクセスネットワーク４１１、コアネットワーク４１４、任意の中間ネットワーク４２０、および可能なさらなるインフラストラクチャ（図示せず）を介在物として使用して、ＯＴＴ接続４５０を介してデータおよび／または信号を通信するように構成される。ＯＴＴ接続４５０は、ＯＴＴ接続４５０が通過する参加通信デバイスがアップリンク通信およびダウンリンク通信のルーティングに気付かないという意味で、トランスペアレント（透過的）であり得る。例えば、基地局４１２は接続されたＵＥ４９１に転送される（例えば、ハンドオーバされる）ためにホストコンピュータ４３０から発信されるデータをもつ入来ダウンリンク通信の過去のルーティングについて知らされる必要はない。同様に、基地局４１２は、ＵＥ４９１からホストコンピュータ４３０へ向かう発信アップリンク通信の将来のルーティングを認識する必要はない。
【０１３２】
実施例は上記の実施形態に従い、図１０を参照して、本節で説明したＵＥ、基地局およびホストコンピュータの具体化に従い、通信システム３３００では、ホストコンピュータ３３１０が通信システム３３００の異なる通信装置のインターフェースと有線または無線の接続を設定し維持するように構成された通信インターフェース３３１６を含むハードウェア３３１５を構成する。通信システム５００では、ホストコンピュータ５１０が通信システム５００の異なる通信デバイスのインターフェースとの有線または無線接続をセットアップおよび維持するように構成された通信インターフェース５１６を含むハードウェア５１５を備える。ホストコンピュータ５１０は、記憶および／または処理能力を有することができる処理回路５１８をさらに備える。特に、処理回路５１８は、命令を実行するように構成された１つまたは複数のプログラマブルプロセッサ、特定用途向け集積回路、フィールドプログラマブルゲートアレイまたはこれらの組み合わせ（図示せず）を含んでもよい。ホストコンピュータ５１０はさらにソフトウェア５１１を構成し、それがホストコンピュータ５１０に記憶されるか、アクセス可能であり、処理回路５１８によって実行可能である。ソフトウェア５１１は、ホストアプリケーション５１２を含む。ホストアプリケーション５１２は、ＵＥ５３０およびホストコンピュータ５１０で終端するＯＴＴ接続５５０を介して接続するＵＥ５３０などのリモートユーザにサービスを提供するように動作可能であってもよい。リモートユーザにサービスを提供する際に、ホストアプリケーション５１２は、ＯＴＴ接続５５０を使用して送信されるユーザデータを提供することができる。
【０１３３】
通信システム５００はさらに、遠隔通信システム内に設けられ、ホストコンピュータ５１０およびＵＥ５３０と通信することを可能にするハードウェア５２５を含む基地局５２０を含む。ハードウェア５２５は、通信システム５００の異なる通信デバイスのインターフェースとの有線または無線接続をセットアップおよび維持するための通信インターフェース５２６、ならびに基地局５２０によってサービスされるカバレッジエリア（図１０には示されていない）内に位置するＵＥ５３０との少なくとも無線接続５７０をセットアップおよび維持するための無線インターフェース５２７を含み得る。通信インターフェース５２６は、ホストコンピュータ５１０への接続５６０を容易にするように構成することができる。接続５６０は直接的であってもよいし、電気通信システムのコアネットワーク（図１０には示されていない）を通過してもよいし、および／または電気通信システムの外部の１つ以上の中間ネットワークを通過してもよい。図示の実施形態では、基地局５２０のハードウェア５２５が１つまたは複数のプログラマブルプロセッサ、特定用途向け集積回路、フィールドプログラマブルゲートアレイ、または命令を実行するように適合されたこれら（図示せず）の組み合わせを含み得る処理回路５２８をさらに含む。さらに、基地局５２０は、内部に記憶されるか、または外部接続を介してアクセス可能なソフトウェア５２１を有する。
【０１３４】
通信システム５００は、既に言及したＵＥ５３０をさらに含む。そのハードウェア５３５はＵＥ５３０が現在位置するカバレッジエリアにサービスを提供する基地局との無線接続５７０をセットアップし、維持するように構成された無線インターフェース５３７を含み得る。ＵＥ５３０のハードウェア５３５は、命令を実行するように適合された１つまたは複数のプログラマブルプロセッサ、特定用途向け集積回路、フィールドプログラマブルゲートアレイ、またはこれらの組合せ（図示せず）を備えることができる処理回路５３８をさらに含む。ＵＥ５３０はさらにソフトウェア５３１を構成し、これらはＵＥ５３０内に記憶されるかアクセス可能であり、また、処理回路５３８によって実行可能である。ソフトウェア５３１は、クライアントアプリケーション５３２を含む。クライアントアプリケーション５３２は、ホストコンピュータ５１０のサポートを受けて、ＵＥ５３０を介して人間または非人間のユーザにサービスを提供するように動作可能である。ホストコンピュータ５１０において、実行中のホストアプリケーション５１２は、ＵＥ５３０およびホストコンピュータ５１０で終了するＯＴＴ接続５５０を介して実行中のクライアントアプリケーション５３２と通信することができる。ユーザにサービスを提供する際に、クライアントアプリケーション５３２はホストアプリケーション５１２から要求データを受信し、要求データに応答してユーザデータを提供することができる。ＯＴＴ接続５５０は、要求データおよびユーザデータの両方を転送することができる。クライアントアプリケーション５３２は、ユーザと対話して、ユーザが提供するユーザデータを生成することができる。 
【０１３５】
図１０に示されるホストコンピュータ５１０、基地局５２０、およびＵＥ５３０は、ホストコンピュータ４３０、基地局４１２ａ、４１２ｂ、４１２ｃのうちの１つ、および図９のＵＥ４９１、４９２のうちの１つとそれぞれ類似または同一であり得ることに留意されたい。すなわち、これらのエンティティの内部動作は図１０に示されるようなものであってもよく、独立して、周囲のネットワークトポロジは図９のものであってもよい。
【０１３６】
図１０ではＯＴＴ接続５５０を抽象的に描いて、基地局５２０を介したホストコンピュータ５１０とＵＥ５３０との間の通信を示すが、任意の中間デバイスおよびこれらのデバイスを介したメッセージの正確なルーティングを明示的に参照することはない。ネットワークインフラストラクチャはルーティングを決定してもよく、ルーティングはＵＥ５３０から、またはサービスプロバイダオペレーティングホストコンピュータ５１０から、あるいはその両方から隠すように構成されてもよい。ＯＴＴ接続５５０がアクティブである間、ネットワークインフラストラクチャは（例えば、負荷分散の考慮またはネットワークの再構成に基づいて）ネットワークインフラストラクチャがルーティングを動的に変更する決定をさらに行うことができる。
【０１３７】
ＵＥ５３０と基地局５２０との間の無線接続５７０は、本開示全体にわたって説明される実施形態の教示に従う。様々な実施形態のうちの１つまたは複数は、無線接続５７０が最後のセグメントを形成するＯＴＴ接続５５０を使用して、ＵＥ５３０に提供されるＯＴＴサービスの性能を改善する。より正確には、これらの実施形態の教示が例えば、時間領域リソースのより柔軟なスケジューリングを可能にすることによって、データレートおよび待ち時間を改善し、それによって、低減されたユーザ待ち時間などの利点を提供することができる。
【０１３８】
１つまたは複数の実施形態が改善するデータレート、待ち時間、および他の要因を監視する目的で、測定手順を提供することができる。さらに、測定結果の変動に応答して、ホストコンピュータ５１０とＵＥ５３０との間のＯＴＴ接続５５０を再構成するためのオプションのネットワーク機能があってもよい。ＯＴＴ接続５５０を再構成するための測定手順および／またはネットワーク機能は、ホストコンピュータ５１０のソフトウェア５１１およびハードウェア５１５、またはソフトウェア５３１およびＵＥ５３０のハードウェア５３５、あるいはその両方で実施することができる。いくつかの実施形態ではセンサ（図示せず）がＯＴＴ接続５５０が通過する通信デバイス内に、またはそれに関連して配備することができ、センサは上で例示した監視量の値を供給することによって、またはソフトウェア５１１、５３１が監視量を計算または推定することができる他の物理量の値を供給することによって、測定手順に関与することができる。ＯＴＴ接続５５０の再構成はメッセージフォーマット、再送信設定、好ましいルーティングなどを含むことができ、再構成は、基地局５２０に影響を及ぼす必要はなく、基地局５２０には知られていないか、または知覚できないことがある。このような手順および機能性は当技術分野で公知であり、実践され得る。特定の実施形態では、測定がホストコンピュータ５１０のスループット、伝搬時間、待ち時間などの測定を容易にする独自のＵＥシグナリングを含むことができる。測定は、ソフトウェア５１１および５３１が伝搬時間、エラーなどを監視しながら、ＯＴＴ接続５５０を使用して、メッセージ、特に空または「ダミー」メッセージを送信させることによって実施することができる。
【０１３９】
図１１は、一実施形態による、通信システムにおいて実施される方法を示すフローチャートである。通信システムは、ホストコンピュータ、基地局、および図９および図１０を参照して説明したＵＥを含む。本開示を簡単にするために、図１１に対する図面参照のみがこのセクションに含まれる。ステップ６１０において、ホストコンピュータはユーザデータを提供する。ステップ６１０のサブステップ６１１（オプションであってもよい）では、ホストコンピュータがホストアプリケーションを実行することによってユーザデータを提供する。ステップ６２０において、ホストコンピュータは、ユーザデータをＵＥに搬送する送信を開始する。ステップ６３０（任意であってもよい）において、基地局は、本開示全体にわたって説明される実施形態の教示に従って、ホストコンピュータが開始した送信において搬送されたユーザデータをＵＥに送信する。ステップ６４０（オプションであってもよい）において、ＵＥは、ホストコンピュータによって実行されるホストアプリケーションに関連付けられたクライアントアプリケーションを実行する。
【０１４０】
図１２は、一実施形態による、通信システムにおいて実施される方法を示すフローチャートである。通信システムは、ホストコンピュータ、基地局、および図９および図１０を参照して説明したＵＥを含む。本開示を簡単にするために、図１２に対する図面参照のみがこのセクションに含まれる。本方法のステップ７１０において、ホストコンピュータはユーザデータを提供する。任意のサブステップ（図示せず）において、ホストコンピュータがホストアプリケーションを実行することによってユーザデータを提供する。ステップ７２０において、ホストコンピュータは、ユーザデータをＵＥに搬送する送信を開始する。送信は、本開示全体にわたって説明される実施形態の教示に従って、基地局を介して渡され得る。ステップ７３０（任意であってもよい）において、ＵＥは、送信において搬送されるユーザデータを受信する。
【０１４１】
図１３は、一実施形態による、通信システムにおいて実施される方法を示すフローチャートである。通信システムは、ホストコンピュータ、基地局、および図９および図１０を参照して説明したＵＥを含む。本開示を簡単にするために、図１３に対する図面参照のみがこのセクションに含まれる。ステップ８１０（任意選択であってもよい）において、ＵＥは、ホストコンピュータによって提供された入力データを受信する。さらに、または代替的に、ステップ８２０で、ＵＥはユーザデータを提供する。ステップ８２０のサブステップ８２１（任意選択であってもよい）において、ＵＥは、クライアント・アプリケーションを実行することによってユーザ・データを提供する。ステップ８１０のサブステップ８１１（オプションであってもよい）において、ＵＥは、ホストコンピュータによって提供された受信入力データに応答してユーザデータを提供するクライアントアプリケーションを実行する。ユーザ・データを提供する際に、実行されるクライアント・アプリケーションは、ユーザから受け取ったユーザ入力をさらに考慮することができる。ユーザデータが提供された特定の方法にかかわらず、ＵＥは、サブステップ８３０において、ユーザデータのホストコンピュータへの送信を開始する。本方法のステップ８４０において、ホストコンピュータは、本開示全体にわたって説明される実施形態の教示に従って、ＵＥから送信されたユーザデータを受信する。
【０１４２】
図１４は、一実施形態による、通信システムにおいて実施される方法を示すフローチャートである。通信システムは、ホストコンピュータ、基地局、および図９および図１０を参照して説明したＵＥを含む。本開示を簡単にするために、図１４に対する図面参照のみがこのセクションに含まれる。ステップ９１０（オプションであってもよい）において、本開示全体にわたって説明される実施形態の教示に従って、基地局は、ＵＥからユーザデータを受信する。ステップ９２０（任意選択でよい）において、基地局は、受信されたユーザデータのホストコンピュータへの送信を開始する。ステップ９３０（任意であってもよい）において、ホストコンピュータは、基地局によって開始された送信において搬送されるユーザデータを受信する。
【０１４３】
グループＣの実施形態
３９. グループＡの実施形態のいずれかのステップのいずれかを実行するように構成された、無線デバイス。
４０. グループＢの実施形態のいずれかのステップのいずれかを実行するように構成されたネットワークノード（例えば、基地局）。 
４１. 無線デバイスであって、当該無線デバイスは、
‐ グループＡの実施形態のいずれかのステップのいずれかを実行するように構成された処理回路と、
‐ 無線デバイスに電力を供給するように構成された電源回路（電力回路）、を備える。
４２. 基地局であって、当該基地局は、
‐ グループＢの実施形態のいずれかのステップのいずれかを実行するように構成された処理回路と、
‐ 無線デバイスに電力を供給するように構成された電源回路、を備える。
４３. ユーザ装置（ＵＥ）であって、当該ＵＥは、
‐ 無線信号を送受信するように構成されたアンテナと、
‐ アンテナおよび処理回路に接続され、アンテナと処理回路との間で通信される信号を調整するように構成された無線フロントエンド回路と、
‐ 処理回路は、グループＡの実施形態のいずれかのステップのいずれかを実行するように構成され、
‐ 処理回路に接続され、ＵＥへの情報の入力が処理回路によって処理されることを可能にするように構成された入力インタフェースと、
‐ 処理回路に接続され、処理回路によって処理された情報をＵＥから出力するように構成された出力インターフェースと、
‐ 処理回路に接続され、ＵＥに電力を供給するように構成されたバッテリ、を備える。
４４. ホストコンピュータを含む通信システムであって、当該ホストコンピュータは、
‐ ユーザデータを提供するように構成された処理回路と
‐ ユーザ装置（ＵＥ）に送信するためにユーザデータをセルラネットワークに転送するように構成された通信インターフェースと、を備え、 
‐ セルラネットワークは無線インターフェースおよび処理回路を有する基地局を備え、基地局の処理回路はグループＢの実施形態のいずれかのステップのいずれかを実行するように構成される。
４５. 前述の実施形態の通信システムであって、基地局をさらに含む。
４６. 前述の２つの実施形態の通信システムであって、ＵＥをさらに含み、ＵＥが基地局と通信するように構成される。
４７. 前述の３つの実施形態の通信システムであって、
‐ ホストコンピュータの処理回路は、ホストアプリケーションを実行し、それによってユーザデータを提供するように構成され、
‐ ＵＥは、ホストアプリケーションに関連するクライアントアプリケーションを実行するように構成された処理回路を備える。
４８. ホストコンピュータと、基地局と、ユーザ装置（ＵＥ）とを含む通信システムにおいて実施される方法であって、当該方法は、
‐ ホストコンピュータにおいて、ユーザデータを提供することと、
‐ ホストコンピュータにおいて、基地局を備えるセルラネットワークを介してＵＥにユーザデータを搬送する送信を開始し、基地局は、グループＢの実施形態のいずれかのステップのいずれかを実行することを含む。
４９. 前述の実施形態の方法であって、基地局において、ユーザデータを送信することをさらに含む。
５０. 前述の２つの実施形態の方法であって、ユーザデータは、ホストアプリケーションを実行することによってホストコンピュータにおいて提供され、当該方法は、ＵＥにおいて、ホストアプリケーションに関連付けられたクライアントアプリケーションを実行することをさらに含む。
５１. 基地局と通信するように構成されたユーザ装置（ＵＥ）であって、当該ＵＥは、無線インターフェースと、前述の３つの実施形態の方法のいずれかを実行するように構成された処理回路とを備える。
５２. ホストコンピュータを含む通信システムであって、当該ホストコンピュータは、
‐ ユーザデータを提供するように構成された処理回路と、
‐ ユーザデータをユーザ装置（ＵＥ）に送信するためにセルラネットワークに転送するように構成された通信インターフェースと、を備え、 
‐ ＵＥは、無線インターフェースおよび処理回路を備え、ＵＥの構成要素はグループＡの実施形態のいずれかのステップのいずれかを実行するように構成される。
５３. 前述の実施形態の通信システムであって、セルラーネットワークは、ＵＥと通信するように構成された基地局をさらに含む。
５４. 前述の２つの実施形態の通信システムであって、
‐ ホストコンピュータの処理回路は、ホストアプリケーションを実行し、それによってユーザデータを提供するように構成され、
‐ ＵＥの処理回路は、ホストアプリケーションに関連するクライアントアプリケーションを実行するように構成される。 
５５. ホストコンピュータと、基地局と、ユーザ装置（ＵＥ）とを含む通信システムにおいて実施される方法であって、当該方法は、
‐ ホストコンピュータにおいて、ユーザデータを提供することと、
‐ ホストコンピュータにおいて、基地局を含むセルラネットワークを介してＵＥにユーザデータを搬送する送信を開始し、ＵＥは、グループＡの実施形態のいずれかのステップを実行する。
５６. 前述の実施形態の方法であって、ＵＥにおいて、基地局からユーザデータを受信することをさらに含む。
５７. ホストコンピュータを含む通信システムであって、当該ホストコンピュータは、 
‐ ユーザ装置（ＵＥ）から基地局への送信から生じるユーザデータを受信するように構成された通信インターフェースを備え、
‐ ＵＥは、無線インターフェースおよび処理回路を備え、ＵＥの処理回路はグループＡの実施形態のいずれかのステップのいずれかを実行するように構成される。
５８. 前述の実施形態の通信システムであって、ＵＥをさらに含む。
５９. 前述の２つの実施形態の通信システムであって、基地局をさらに含み、基地局は、ＵＥと通信するように構成された無線インターフェースと、ＵＥから基地局への送信によって搬送されるユーザデータをホストコンピュータに転送するように構成された通信インターフェースとを備える。
６０. 前述の３つの実施形態の通信システムであって、
‐ ホストコンピュータの処理回路は、ホストアプリケーションを実行するように構成され、
‐ ＵＥの処理回路は、ホストアプリケーションに関連付けられたクライアントアプリケーションを実行するように構成され、それによってユーザデータを提供する。
６１. 前述の３つの実施形態の通信システムであって、
‐ ホストコンピュータの処理回路は、ホストアプリケーションを実行し、それによって要求データを提供するように構成され、
‐ ＵＥの処理回路は、ホストアプリケーションに関連付けられたクライアントアプリケーションを実行し、それによって要求データに応答してユーザデータを提供するように構成される。
６２. ホストコンピュータと、基地局と、ユーザ装置（ＵＥ）とを含む通信システムにおいて実施される方法であって、当該方法は、
‐ ホストコンピュータにおいて、ＵＥから基地局に送信されたユーザデータを受信し、ＵＥは、グループＡの実施形態のいずれかのステップのいずれかを実行する。
６３. 前述の実施形態の方法であって、ＵＥにおいて、ユーザデータを基地局に提供することをさらに含む。
６４. 前述の２つの実施形態の方法であって、
‐ ＵＥにおいて、クライアントアプリケーションを実行し、それによって送信されるユーザデータを提供することと、
‐ ホストコンピュータにおいて、クライアントアプリケーションに関連付けられたホストアプリケーションを実行することをさらに含む。
６５. 前述の３つの実施形態の方法であって、
‐ ＵＥにおいて、クライアントアプリケーションを実行することと、
‐ ＵＥにおいて、クライアントアプリケーションに入力データを受信することであって、入力データは、クライアントアプリケーションに関連付けられたホストアプリケーションを実行することによって、クライアントアプリケーションにおいて提供され、
‐ 送信されるユーザデータは、入力データに応答して、クライアントアプリケーションによって提供される。
６６. ユーザ装置（ＵＥ）から基地局への送信から生じるユーザデータを受信するように構成された通信インターフェースを備えるホストコンピュータを含む通信システムであって、基地局は無線インターフェースおよび処理回路を備え、基地局の処理回路はグループＡＢの実施形態のいずれかのステップのいずれかを実行するように構成される。
６７. 前述の実施形態の通信システムであって、基地局をさらに含む。
６８. 前述の２つの実施形態の通信システムであって、ＵＥをさらに含み、ＵＥは基地局と通信するように構成される。
６９. 前述の３つの実施形態の通信システムであって
‐ −ホストコンピュータの処理回路は、ホストアプリケーションを実行するように構成され、
‐ ＵＥは、ホストアプリケーションに関連付けられたクライアントアプリケーションを実行するように構成され、それによって、ホストコンピュータによって受信されるユーザデータを提供する。
７０. ホストコンピュータと、基地局と、ユーザ装置（ＵＥ）とを含む通信システムにおいて実施される方法であって、当該方法は、
‐ ホストコンピュータにおいて、基地局から、基地局がＵＥから受信した送信から生じるユーザデータを受信し、ＵＥは、グループＡの実施形態のいずれかのステップのいずれかを実行する。
７１. 前述の実施形態の方法であって、基地局において、ＵＥから前記ユーザデータを受信することをさらに含む。
７２. 前述の２つの実施形態の方法であって、基地局において、ホストコンピュータへの受信されたユーザデータの送信を開始することをさらに含む。
【図１】
2021503734.tif 000004
【図２】
2021503734.tif 000005
【図３】
2021503734.tif 000006
【図４】
2021503734.tif 000007
【図５】
2021503734.tif 000008
【図６】
2021503734.tif 000009
【図７】
2021503734.tif 000010
【図８】
2021503734.tif 000011
【図９】
2021503734.tif 000012
【図１０】
2021503734.tif 000013
【図１１】
2021503734.tif 000014
【図１２】
2021503734.tif 000015
【図１３】
2021503734.tif 000016
【図１４】
2021503734.tif 000017
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
命令を格納するように動作可能なメモリ（１３０、２１５）と、前記命令を実行するように動作可能な処理回路（１２０、２０１、５３８）とを備える無線デバイス（１１０、２００、４９１、４９２、５３０、５０）であって、前記無線デバイスは、
複数の時間領域リソース割り当てテーブルのうちの１つを、ネットワークノードから受信された第１の情報に基づいて決定することと、ここで、時間領域リソース割り当てテーブルは、それぞれの時間領域リソース割り当てに対応する複数のエントリを含み、
前記複数の時間領域リソース割り当てテーブルのうちの前記決定された１つと、前記第１の情報とは異なる前記ネットワークノードから受信された第２の情報とに基づいて、無線信号の送信または受信のために前記無線デバイスに割り当てられた時間領域リソースを決定することを含み、前記第２の情報は、前記無線デバイスに割り当てられた前記時間領域リソースを決定するために使用するために、前記複数の時間領域リソース割り当てテーブルの前記決定された１つの前記複数のエントリのどれを使用するかを示す、無線デバイス。
【請求項２】
請求項１に記載の無線デバイスであって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、無線デバイス。
【請求項３】
請求項１または２に記載の無線デバイスであって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、無線デバイス。
【請求項４】
請求項１から３のいずれか１項に記載の無線デバイスであって、前記第１の情報は、無線ネットワーク一時識別子（ＲＮＴＩ）を含む、無線デバイス。
【請求項５】
請求項１から４のいずれか１項に記載の無線デバイスであって、前記第１の情報は、前記無線信号をスケジュールするために使用される制御チャネルに関連するサーチ空間を示す情報、前記無線信号をスケジュールするために使用される制御チャネルリソースセット（ＣＯＲＥＳＥＴ）に関連する情報、帯域幅部分に関連する情報、スロットフォーマットを示す情報、サイクリックプレフィックス、直交周波数分割多重（ＯＦＤＭ）サブキャリア間隔、またはヌメロロジーを示す他の情報、のうちの少なくとも１つを含む、無線デバイス。
【請求項６】
請求項１から５のいずれか１項に記載の無線デバイスであって、
前記決定された時間領域リソースを使用して無線信号を送信または受信するように動作可能な、無線デバイス。
【請求項７】
命令を記憶するように動作可能なメモリ（１８０）と、命令を実行するように動作可能な処理回路（１７０）とを備えるネットワークノード（１６０、４１２、５２０、５０）であって、前記ネットワークノードは、
無線信号の送信または受信のために無線デバイスに割り当てるための時間領域リソースを決定し、
前記無線デバイスが複数の時間領域リソース割り当てテーブルのうちの１つを決定するための第１の情報と、前記無線デバイスが前記複数の時間領域リソース割り当てテーブルのうちの前記決定された１つに基づいて前記時間領域リソースを決定するための第２の情報とを無線デバイスに送信するように動作可能であり、ここで、前記第２の情報は、前記第１の情報とは異なり、時間領域リソース割り当てテーブルは、それぞれの時間領域リソース割り当てに対応する複数のエントリを含み、前記第２の情報は、前記無線デバイスが前記時間領域リソースを決定するために使用すべきである、前記複数の時間領域リソース割り当てテーブルの前記決定された１つの前記複数のエントリのどれを使用するかを示す、ネットワークノード。
【請求項８】
請求項７に記載のネットワークノードであって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、ネットワークノード。
【請求項９】
請求項７または８に記載のネットワークノードであって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、ネットワークノード。
【請求項１０】
請求項７から９のいずれか１項に記載のネットワークノードであって、前記第１の情報は、無線ネットワーク一時識別子（ＲＮＴＩ）を含む、ネットワークノード。 
【請求項１１】
請求項７から１０のいずれか１項に記載のネットワークノードであって、前記第１の情報は、前記無線信号をスケジュールするために使用される制御チャネルに関連するサーチ空間を示す情報、前記無線信号をスケジュールするために使用される制御チャネルリソースセット（ＣＯＲＥＳＥＴ）に関連する情報、帯域幅部分に関連する情報、スロットフォーマットを示す情報、サイクリックプレフィックス、直交周波数分割多重（ＯＦＤＭ）サブキャリア間隔、またはヌメロロジーを示す他の情報、のうちの少なくとも１つを含む、ネットワークノード。
【請求項１２】
請求項７から１１のいずれか１項に記載のネットワークノードであって、
前記割り当てられた時間領域リソースを使用して無線信号を送信または受信するようにさらに動作可能である、ネットワークノード。 
【請求項１３】
無線デバイスによって実行される方法であって、前記方法は、
複数の時間領域リソース割り当てテーブルのうちの１つを、ネットワークノードから受信された第１の情報に基づいて決定すること（３０）と、ここで、時間領域リソース割り当てテーブルは、それぞれの時間領域リソース割り当てに対応する複数のエントリを含み、
複数の時間領域リソース割り当てテーブルのうちの前記決定された１つと、第１の情報とは異なる前記ネットワークノードから受信された第２の情報とに基づいて、無線信号の送信または受信のために前記無線デバイスに割り当てられた時間領域リソースを決定すること（３２）を含み、前記第２の情報は、前記無線デバイスに割り当てられた前記時間領域リソースを決定するために使用するために、前記複数の時間領域リソース割り当てテーブルの前記決定された１つの前記複数のエントリのどれを使用するかを示す、方法。
【請求項１４】
請求項１３に記載の方法であって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、方法。
【請求項１５】
請求項１３または１４に記載の方法であって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、方法。
【請求項１６】
請求項１３から１５のいずれか１項に記載の方法であって、前記第１の情報は、無線ネットワーク一時識別子（ＲＮＴＩ）を含む、方法。
【請求項１７】
請求項１３から１６のいずれか１項に記載の方法であって、
前記決定された時間領域リソースを使用して無線信号を送信または受信する（３４）ことをさらに含む、方法。 
【請求項１８】
ネットワークノードによって実行される方法であって、前記方法は、 
無線信号の送信または受信のために無線デバイスに割り当てるための時間領域リソースを決定すること（４０）と、
前記無線デバイスが複数の時間領域リソース割り当てテーブルのうちの１つを決定するための第１の情報と、前記無線デバイスが複数の時間領域リソース割り当てテーブルのうちの決定された前記１つに基づいて時間領域リソースを決定するための第２の情報とを前記無線デバイスに送信すること（４２）を含み、前記第２の情報は、前記第１の情報とは異なり、時間領域リソース割り当てテーブルは、それぞれの時間領域リソース割り当てに対応する複数のエントリを含み、前記第２の情報は、前記無線デバイスが前記時間領域リソースを決定するために使用すべきである、前記複数の時間領域リソース割り当てテーブルの前記決定された１つの前記複数のエントリのどれを使用するかを示す、方法。  
【請求項１９】
請求項１８に記載の方法であって、前記時間領域リソース割り当てテーブルは、前記時間領域リソース割り当てのための、開始直交周波数分割多重（ＯＦＤＭ）シンボル位置とＯＦＤＭシンボルの期間の異なる組合せを含む、方法。
【請求項２０】
請求項１８または１９に記載の方法であって、前記複数の時間領域リソース割り当てテーブルは、前記時間領域リソース割り当てのためのデフォルト値を有する事前定義されたテーブルと、無線リソース制御（ＲＲＣ）されたテーブルの少なくとも１つを含む、方法。
【請求項２１】
請求項１８から２０のいずれか１項に記載の方法であって、前記第１の情報は、無線ネットワーク一時識別子（ＲＮＴＩ）を含む、方法。
【請求項２２】
請求項１８から２１のいずれか１項に記載の方法であって、
割り当てられた時間領域リソースを使用して前記無線信号を送信または受信すること（４４）をさらに含む、方法。
【請求項２３】
無線デバイスの少なくとも１つのプロセッサによって実行されると、前記無線デバイスに請求項１３から１７のいずれか１項に記載の方法を実行させる命令を備えるコンピュータプログラム。
【請求項２４】
請求項２３に記載のコンピュータプログラムを含むコンピュータ可読記憶媒体。
【請求項２５】
無線デバイスの少なくとも１つのプロセッサによって実行されると、無線デバイスに請求項１８から２２のいずれか１項に記載の方法を実行させる命令を備えるコンピュータプログラム。 
【請求項２６】
請求項２５に記載のコンピュータプログラムを含むコンピュータ可読記憶媒体。
【国際調査報告】
2021503734.tif 000018
2021503734.tif 000019